(57)【特許請求の範囲】
【請求項１】
水と、
下記一般式（１）で表される化合物またはその塩と、
下記一般式（２１）で表される化合物またはその塩と、
を含有し、
さらに、有機酸、または有機酸および有機塩基の両方を含有し、
前記有機酸は、アジピン酸、クエン酸およびコハク酸から選択される少なくとも１種であり、
前記有機塩基は、トリエタノールアミン、ジエタノールアミン、モノエタノールアミンおよびトリイソプロパノールアミンから選択される少なくとも１種である、インク組成物。
【化１】
0005776876.tif 000086
（式（１）中、ｎは、０または１であり、
Ｒ１は、カルボキシ基；Ｃ１−Ｃ８アルコキシカルボニル基；Ｃ１−Ｃ８アルコキシカルボニル基もしくはカルボキシ基で置換されていてもよいＣ１−Ｃ４アルキル基；またはヒドロキシ基、スルホ基もしくはカルボキシ基で置換されていてもよいフェニル基を表し、Ｒ２、Ｒ３およびＲ４は、それぞれ独立に、水素原子；塩素原子；ヒドロキシ基；スルホ基；カルボキシ基；スルファモイル基；カルバモイル基；Ｃ１−Ｃ４アルキル基；ヒドロキシ基、Ｃ１−Ｃ４アルコキシ基、ヒドロキシＣ１−Ｃ４アルコキシ基、スルホ基もしくはカルボキシ基で置換されていてもよいＣ１−Ｃ４アルコキシ基；ヒドロキシ基、スルホ基もしくはカルボキシ基で置換されていてもよいモノもしくはジＣ１−Ｃ４アルキルアミノ基；ヒドロキシ基もしくはカルボキシ基で置換されていてもよいＣ１−Ｃ４アルキルカルボニルアミノ基；ヒドロキシ基、スルホ基もしくはカルボキシ基で置換されていてもよ
いＮ’−Ｃ１−Ｃ４アルキルウレイド基；ベンゼン環が塩素原子、Ｃ１−Ｃ４アルキル基、ニトロ基、スルホ基もしくはカルボキシ基で置換されていてもよいフェニルアミノ基；ベンゼン環が塩素原子、Ｃ１−Ｃ４アルキル基、ニトロ基、スルホ基もしくはカルボキシ基で置換されていてもよいベンゾイルアミノ基；またはベンゼン環が塩素原子、Ｃ１−Ｃ４アルキル基、ニトロ基、スルホ基もしくはカルボキシ基で置換されていてもよいフェニルスルホニルアミノ基；をそれぞれ表し、
基Ａは、下記一般式（２）または下記一般式（３）で表される置換複素環基であり、
【化２】
0005776876.tif 000087
（式（２）中、Ｒ５は、メルカプト基；またはヒドロキシ基、Ｃ１−Ｃ４ア
ルコキシ基、ヒドロキシＣ１−Ｃ４アルコキシ基、スルホ基もしくはカルボキシ基で置換されていてもよいＣ１−Ｃ４アルキルチオ基を表す。）
【化３】
0005776876.tif 000088
（式（３）中、Ｒ６、Ｒ７およびＲ８は、それぞれ独立に、水素原子；塩素
原子；カルボキシ基；スルホ基；ニトロ基；ヒドロキシ基；カルバモイル基；スルファモイル基；Ｃ１−Ｃ４アルキル基；ヒドロキシ基、Ｃ１−Ｃ４アルコキシ基、スルホ基もしくはカルボキシ基で置換されていてもよいＣ１−Ｃ４アルコキシ基；ヒドロキシ基、スルホ基もしくはカルボキシ基で置換されていてもよいＣ１−Ｃ４アルキルスルホニル基；またはベンゼン環が塩素原子、Ｃ１−Ｃ４アルキル基、ニトロ基、スルホ基もしくはカルボキシ基で置換されていてもよいフェニルスルホニル基；をそれぞれ表す。）
基Ｂは、置換されていてもよいフェニル基またはナフチル基であり、
基Ｂが置換フェニル基の場合は、ヒドロキシ基；スルホ基；カルボキシ基；Ｃ１−Ｃ４アルキル基；Ｃ１−Ｃ４アルコキシ基；アミノ基；モノもしくはジＣ１−Ｃ４アルキルアミノ基；アセチルアミノ基；およびベンゼン環が塩素原子、Ｃ１−Ｃ４アルキル基、ニトロ基、スルホ基もしくはカルボキシ基で置換されていてもよいベンゾイルアミノ基；よりなる群から選択される置換基を有し、
基Ｂが置換ナフチル基の場合は、ヒドロキシ基；スルホ基；Ｃ１−Ｃ４アルコキシ基；およびベンゼン環がメチル基、ニトロ基または塩素原子で置換されていてもよいフェニルスルホニルオキシ基；よりなる群から選択される置換基を有する。）
【化４】
0005776876.tif 000089
（式（２１）中、Ｒ２１、Ｒ２２、Ｒ２３、Ｒ２４、Ｒ２５、Ｒ２６、Ｒ２
７およびＲ２８は、それぞれ独立に、水素原子；ハロゲン原子；スルホ基；カルボキシ基；スルファモイル基；カルバモイル基；Ｃ１−Ｃ４アルキル基；Ｃ１−Ｃ４アルコキシ基；置換基として、ヒドロキシ基、Ｃ１−Ｃ４アルコキシ基、ヒドロキシＣ１−Ｃ４アルコキシ基、スルホ基、およびカルボキシ基よりなる群から選択される少なくとも１種類の基で置換されたＣ１−Ｃ４アルコキシ基；Ｃ１−Ｃ４アルキルカルボニルアミノ基；カルボキシ基で置換されたＣ１−Ｃ４アルキルカルボニルアミノ基；ウレイド基；モノＣ１−Ｃ４アルキルウレイド基；ジＣ１−Ｃ４アルキルウレイド基；置換基として、ヒドロキシ基、スルホ基、およびカルボキシ基よりなる群から選択される少なくとも１種類の基で置換されたモノＣ１−Ｃ４アルキルウレイド基；置換基として、ヒドロキシ基、スルホ基、およびカルボキシ基よりなる群から選択される少なくとも１種類の基で置換されたジＣ１−Ｃ４アルキルウレイド基；ベンゾイルアミノ基；ベンゼン環が、ハロゲン原子、Ｃ１−Ｃ４アルキル基、ニトロ基、スルホ基、およびカルボキシ基よりなる群から選択される少なくとも１種類の基で置換されたベンゾイルアミノ基；ベンゼンスルホニルアミノ基；または、ベンゼン環が、ハロゲン原子、Ｃ１−Ｃ４アルキル基、ニトロ基、スルホ基、およびカルボキシ基よりなる群から選択される少なくとも１種類の基で置換されたフェニルスルホニルアミノ基；を表し、
Ｘは、２価の架橋基を表す。）
【請求項２】
請求項１において、
さらに、下記一般式（５１）で表される化合物を含有する、インク組成物。
【化５】
0005776876.tif 000090
（式（５１）中、Ｒ５１は、ハロゲン原子；水素原子；ＳＯ３Ｍ；またはＣＯＯＭ；を表
し、
Ｒ５２およびＲ５３は、それぞれ独立に、水素原子；ＳＯ３Ｍ；またはＣＯＯＭ；を表し、
Ｍは、それぞれ独立に、ＬｉおよびＮａの少なくとも一方を表す。
ただし、Ｒ５２およびＲ５３がいずれも水素原子である場合はない。）
【請求項３】
請求項１または請求項２において、
前記一般式（２１）中の前記Ｘで表される２価の架橋基は、Ｃ１−Ｃ８アルキレンジアミノ基；ヒドロキシ基またはカルボキシ基で置換されたＣ１−Ｃ８アルキレンジアミノ基；Ｎ−Ｃ１−Ｃ４アルキル−Ｃ１−Ｃ６アルキレンジアミノ基；アルキル部分がヒドロキシ基またはカルボキシ基で置換されたＮ−Ｃ１−Ｃ４アルキル−Ｃ１−Ｃ６アルキレンジアミノ基；アミノＣ１−Ｃ６アルコキシＣ１−Ｃ６アルキルアミノ基；アミノＣ１−Ｃ４アルコキシＣ１−Ｃ４アルコキシＣ１−Ｃ４アルキルアミノ基；キシリレンジアミノ基；ピペラジン−１，４−ジイル基；Ｃ１−Ｃ４アルキル基またはＣ１−Ｃ４アルコキシ基で置換されたピペラジン−１，４−ジイル基；またはフェニレンジアミノ基；よりなる群から選択されるいずれかの基である、インク組成物。
【請求項４】
請求項１ないし請求項３のいずれか１項において、
前記一般式（２１）中の前記Ｒ２１、前記Ｒ２２、前記Ｒ２３、前記Ｒ２４、前記Ｒ２５、前記Ｒ２６、前記Ｒ２７および前記Ｒ２８は、それぞれ独立に、水素原子；ハロゲン原子；Ｃ１−Ｃ４アルキル基；Ｃ１−Ｃ４アルコキシ基；スルホ基もしくはカルボキシ基で置換されたＣ１−Ｃ４アルコキシ基；またはＣ１−Ｃ４アルキルカルボニルアミノ基；である、インク組成物。
【請求項５】
請求項１ないし請求項４のいずれか１項において、
前記一般式（２１）で表される化合物またはその塩は、下記式（４１）で表される化合物またはその塩である、インク組成物。
【化６】
0005776876.tif 000091
【請求項６】
請求項１ないし請求項５のいずれか１項において、
前記一般式（１）で表される化合物またはその塩は、下記式（１４）で表される化合物またはその塩である、インク組成物。
【化７】
0005776876.tif 000092
【請求項７】
請求項２ないし請求項６のいずれか１項において、
前記一般式（５１）で表される化合物は、下記一般式（５２）で表される化合物である、インク組成物。
【化８】
0005776876.tif 000093
（式（５２）中、Ｍは、それぞれ独立に、ＬｉおよびＮａの少なくとも一方を表す。）
【請求項８】
請求項１ないし請求項７のいずれか１項において、
前記一般式（１）で表される化合物またはその塩の含有量［ＭＡ（質量％）］と、前記一般式（２１）で表される化合物またはその塩の含有量［ＭＢ（質量％）］と、の比率（ＭＢ／ＭＡ）は、０．４以上１以下である、インク組成物。
【請求項９】
請求項２ないし請求項８のいずれか１項において、
前記一般式（１）で表される化合物またはその塩の含有量［ＭＡ（質量％）］と、前記一般式（５１）で表される化合物の含有量［ＭＣ（質量％）］と、の比率（ＭＣ／ＭＡ）は、０．５以上１．５以下である、インク組成物。
【請求項１０】
請求項１ないし請求項９のいずれか１項において、
２０℃におけるｐＨが、７以上７．５以下である、インク組成物。
【請求項１１】
請求項１ないし請求項１０のいずれか１項に記載のインク組成物の液滴を吐出する工程を有する、インクジェット記録方法。
【発明の詳細な説明】
【技術分野】
【０００１】
本発明は、インク組成物およびこれを用いたインクジェット記録方法に関する。
【背景技術】
【０００２】
従来から、色材として染料を含有するインク組成物が知られている。色材として染料を含有するインク組成物は、多様な分野に用いられており、その分野によっては、発色濃度および色相のバランスに優れた画像を記録できるものであることが要求される。このようなインク組成物を用いて記録される画像の発色性や色相は、インク組成物に含まれる染料に起因することが多い。そのため、インク組成物に含有される染料は、記録される画像の発色性を優れたものにでき、所望の色相の画像を得るために色相のバランスに優れたものであることが求められる。
【０００３】
一方、インク組成物は、種々の用途に用いられ、例えば、インクジェット記録方法で使用される場合がある。インクジェット記録方法は、インクジェット記録ヘッド等からインク組成物の液滴を吐出させて、該液滴を被記録媒体に付着させて画像の記録を行うものである。
【０００４】
このようなインクジェット記録方法により得られた画像は、多様な環境下で用いられる。例えば、屋外に設置された画像は、太陽光等の照射を受けたり、大気中のガス（例えば、オゾン、窒素酸化物、硫黄酸化物等）に晒されたりする。このような環境下に置かれた画像は、画像の形成に用いられたインク組成物に含まれる染料等の分解によって、経時的に色濃度が低下する場合がある。そのため、引用文献１には、耐光性および耐ガス性等の良好な染料をインク組成物に添加することが記載されている。
【先行技術文献】
【特許文献】
【０００５】
【特許文献１】特開２００６−１７６５８５号公報
【発明の概要】
【発明が解決しようとする課題】
【０００６】
しかしながら、上述のインク組成物を用いて記録された画像は、発色性および色相のバランスに優れない場合や、耐光性および耐ガス性が低下する場合があった。また、上述のインク組成物を貯蔵した場合に、インク組成物中で染料が分解することにより、インク組成物の保存安定性が低下する場合があった。
【０００７】
本発明のいくつかの態様にかかる目的は、上述の課題の少なくとも一部を解決することであり、特に発色性、色相のバランスおよび耐ガス性に優れたインク組成物を提供することにある。
【課題を解決するための手段】
【０００８】
本発明は、以下の態様または適用例として実現することができる。
【０００９】
［適用例１］
本発明に係るインク組成物の一態様は、
水と、
下記一般式（１）で表される化合物またはその塩と、
下記一般式（２１）で表される化合物またはその塩と、を含有する。
【００１０】
【化１】
0005776876.tif 000002
【００１１】
（式（１）中、ｎは、０または１であり、
Ｒ１は、カルボキシ基；Ｃ１−Ｃ８アルコキシカルボニル基；Ｃ１−Ｃ８アルコキシカルボニル基もしくはカルボキシ基で置換されていてもよいＣ１−Ｃ４アルキル基；またはヒドロキシ基、スルホ基もしくはカルボキシ基で置換されていてもよいフェニル基を表し、
Ｒ２、Ｒ３およびＲ４は、それぞれ独立に、水素原子；塩素原子；ヒドロキシ基；スルホ基；カルボキシ基；スルファモイル基；カルバモイル基；Ｃ１−Ｃ４アルキル基；ヒドロキシ基、Ｃ１−Ｃ４アルコキシ基、ヒドロキシＣ１−Ｃ４アルコキシ基、スルホ基もしくはカルボキシ基で置換されていてもよいＣ１−Ｃ４アルコキシ基；ヒドロキシ基、スルホ基もしくはカルボキシ基で置換されていてもよいモノもしくはジＣ１−Ｃ４アルキルアミノ基；ヒドロキシ基もしくはカルボキシ基で置換されていてもよいＣ１−Ｃ４アルキルカルボニルアミノ基；ヒドロキシ基、スルホ基もしくはカルボキシ基で置換されていてもよいＮ’−Ｃ１−Ｃ４アルキルウレイド基；ベンゼン環が塩素原子、Ｃ１−Ｃ４アルキル基、ニトロ基、スルホ基もしくはカルボキシ基で置換されていてもよいフェニルアミノ基；ベンゼン環が塩素原子、Ｃ１−Ｃ４アルキル基、ニトロ基、スルホ基もしくはカルボキシ基で置換されていてもよいベンゾイルアミノ基；またはベンゼン環が塩素原子、Ｃ１−Ｃ４アルキル基、ニトロ基、スルホ基もしくはカルボキシ基で置換されていてもよいフェニルスルホニルアミノ基；をそれぞれ表し、
基Ａは、下記一般式（２）または下記一般式（３）で表される置換複素環基であり、
【００１２】
【化２】
0005776876.tif 000003
【００１３】
（式（２）中、Ｒ５は、メルカプト基；またはヒドロキシ基、Ｃ１−Ｃ４アルコキシ基、ヒドロキシＣ１−Ｃ４アルコキシ基、スルホ基もしくはカルボキシ基で置換されていてもよいＣ１−Ｃ４アルキルチオ基を表す。）
【００１４】
【化３】
0005776876.tif 000004
【００１５】
（式（３）中、Ｒ６、Ｒ７およびＲ８は、それぞれ独立に、水素原子；塩素原子；カルボキシ基；スルホ基；ニトロ基；ヒドロキシ基；カルバモイル基；スルファモイル基；Ｃ１−Ｃ４アルキル基；ヒドロキシ基、Ｃ１−Ｃ４アルコキシ基、スルホ基もしくはカルボキシ基で置換されていてもよいＣ１−Ｃ４アルコキシ基；ヒドロキシ基、スルホ基もしくはカルボキシ基で置換されていてもよいＣ１−Ｃ４アルキルスルホニル基；またはベンゼン環が塩素原子、Ｃ１−Ｃ４アルキル基、ニトロ基、スルホ基もしくはカルボキシ基で置換されていてもよいフェニルスルホニル基；をそれぞれ表す。）
基Ｂは、置換されていてもよいフェニル基またはナフチル基であり、
基Ｂが置換フェニル基の場合は、ヒドロキシ基；スルホ基；カルボキシ基；Ｃ１−Ｃ４アルキル基；Ｃ１−Ｃ４アルコキシ基；アミノ基；モノもしくはジＣ１−Ｃ４アルキルアミノ基；アセチルアミノ基；およびベンゼン環が塩素原子、Ｃ１−Ｃ４アルキル基、ニトロ基、スルホ基もしくはカルボキシ基で置換されていてもよいベンゾイルアミノ基；よりなる群から選択される置換基を有し、
基Ｂが置換ナフチル基の場合は、ヒドロキシ基；スルホ基；Ｃ１−Ｃ４アルコキシ基；およびベンゼン環がメチル基、ニトロ基または塩素原子で置換されていてもよいフェニルスルホニルオキシ基；よりなる群から選択される置換基を有する。）
【００１６】
【化４】
0005776876.tif 000005
【００１７】
（式（２１）中、Ｒ２１、Ｒ２２、Ｒ２３、Ｒ２４、Ｒ２５、Ｒ２６、Ｒ２７およびＲ２８は、それぞれ独立に、水素原子；ハロゲン原子；スルホ基；カルボキシ基；スルファモイル基；カルバモイル基；Ｃ１−Ｃ４アルキル基；Ｃ１−Ｃ４アルコキシ基；置換基として、ヒドロキシ基、Ｃ１−Ｃ４アルコキシ基、ヒドロキシＣ１−Ｃ４アルコキシ基、スルホ基、およびカルボキシ基よりなる群から選択される少なくとも１種類の基で置換されたＣ１−Ｃ４アルコキシ基；Ｃ１−Ｃ４アルキルカルボニルアミノ基；カルボキシ基で置換されたＣ１−Ｃ４アルキルカルボニルアミノ基；ウレイド基；モノＣ１−Ｃ４アルキルウレイド基；ジＣ１−Ｃ４アルキルウレイド基；置換基として、ヒドロキシ基、スルホ基、およびカルボキシ基よりなる群から選択される少なくとも１種類の基で置換されたモノＣ１−Ｃ４アルキルウレイド基；置換基として、ヒドロキシ基、スルホ基、およびカルボキシ基よりなる群から選択される少なくとも１種類の基で置換されたジＣ１−Ｃ４アルキルウレイド基；ベンゾイルアミノ基；ベンゼン環が、ハロゲン原子、Ｃ１−Ｃ４アルキル基、ニトロ基、スルホ基、およびカルボキシ基よりなる群から選択される少なくとも１種類の基で置換されたベンゾイルアミノ基；ベンゼンスルホニルアミノ基；または、ベンゼン環が、ハロゲン原子、Ｃ１−Ｃ４アルキル基、ニトロ基、スルホ基、およびカルボキシ基よりなる群から選択される少なくとも１種類の基で置換されたフェニルスルホニルアミノ基；を表し、
Ｘは、２価の架橋基を表す。）
【００１８】
適用例１に記載のインク組成物によれば、発色性および色相のバランスに優れ、耐光性および耐光性に優れた画像を記録できると共に、保存安定性に優れている。なお、本発明において「画像」とは、ドット群から形成される印字パターンを示し、テキスト印字、ベタ印字も含める。
【００１９】
［適用例２］
適用例１において、
さらに、下記一般式（５１）で表される化合物を含有することができる。
【００２０】
【化５】
0005776876.tif 000006
【００２１】
（式（５１）中、Ｒ５１は、ハロゲン原子；水素原子；ＳＯ３Ｍ；またはＣＯＯＭ；を表し、
Ｒ５２およびＲ５３は、それぞれ独立に、水素原子；ＳＯ３Ｍ；またはＣＯＯＭ；を表し、
Ｍは、それぞれ独立に、ＬｉおよびＮａの少なくとも一方を表す。
ただし、Ｒ５２およびＲ５３がいずれも水素原子である場合はない。）
【００２２】
［適用例３］
適用例１または適用例２において、
前記一般式（２１）中の前記Ｘで表される２価の架橋基は、Ｃ１−Ｃ８アルキレンジアミノ基；ヒドロキシ基またはカルボキシ基で置換されたＣ１−Ｃ８アルキレンジアミノ基；Ｎ−Ｃ１−Ｃ４アルキル−Ｃ１−Ｃ６アルキレンジアミノ基；アルキル部分がヒドロキシ基またはカルボキシ基で置換されたＮ−Ｃ１−Ｃ４アルキル−Ｃ１−Ｃ６アルキレンジアミノ基；アミノＣ１−Ｃ６アルコキシＣ１−Ｃ６アルキルアミノ基；アミノＣ１−Ｃ４アルコキシＣ１−Ｃ４アルコキシＣ１−Ｃ４アルキルアミノ基；キシリレンジアミノ基；ピペラジン−１，４−ジイル基；Ｃ１−Ｃ４アルキル基またはＣ１−Ｃ４アルコキシ基で置換されたピペラジン−１，４−ジイル基；またはフェニレンジアミノ基；よりなる群から選択されるいずれかの基であることができる。
【００２３】
［適用例４］
適用例１ないし適用例３のいずれか１例において、
前記一般式（２１）中の前記Ｒ２１、前記Ｒ２２、前記Ｒ２３、前記Ｒ２４、前記Ｒ２５、前記Ｒ２６、前記Ｒ２７および前記Ｒ２８は、それぞれ独立に、水素原子；ハロゲン原子；Ｃ１−Ｃ４アルキル基；Ｃ１−Ｃ４アルコキシ基；スルホ基もしくはカルボキシ基で置換されたＣ１−Ｃ４アルコキシ基；またはＣ１−Ｃ４アルキルカルボニルアミノ基；であることができる。
【００２４】
［適用例５］
適用例１ないし適用例４のいずれか１例において、
前記一般式（２１）で表される化合物またはその塩は、下記式（４１）で表される化合物またはその塩であることができる。
【００２５】
【化６】
0005776876.tif 000007
【００２６】
［適用例６］
適用例１ない適用例５のいずれか１例において、
前記一般式（１）で表される化合物またはその塩は、下記式（１４）で表される化合物またはその塩であることができる。
【００２７】
【化７】
0005776876.tif 000008
【００２８】
［適用例７］
適用例２ないし適用例６のいずれか１例において、
前記一般式（５１）で表される化合物は、下記一般式（５２）で表される化合物であることができる。
【００２９】
【化８】
0005776876.tif 000009
【００３０】
（式（５２）中、Ｍは、それぞれ独立に、ＬｉおよびＮａの少なくとも一方を表す。）
【００３１】
［適用例８］
適用例１ないし適用例７のいずれか１例において、
さらに、有機酸および有機塩基の少なくとも一方を含有し、
前記有機酸は、アジピン酸、クエン酸およびコハク酸から選択される少なくとも１種であり、
前記有機塩基は、トリエタノールアミン、ジエタノールアミン、モノエタノールアミンおよびトリイソプロパノールアミンから選択される少なくとも１種であることができる。
【００３２】
［適用例９］
適用例１ないし適用例８のいずれか１例において、
前記一般式（１）で表される化合物またはその塩の含有量［ＭＡ（質量％）］と、前記一般式（２１）で表される化合物またはその塩の含有量［ＭＢ（質量％）］と、の比率（ＭＢ／ＭＡ）は、０．４以上１以下であることができる。
【００３３】
［適用例１０］
適用例２ないし適用例９のいずれか１例において、
前記一般式（１）で表される化合物またはその塩の含有量［ＭＡ（質量％）］と、前記一般式（５１）で表される化合物の含有量［ＭＣ（質量％）］と、の比率（ＭＣ／ＭＡ）は、０．５以上１．５以下であることができる。
【００３４】
［適用例１１］
適用例１ないし適用例１０のいずれか１例において、
２０℃におけるｐＨが、７以上７．５以下であることができる。
【００３５】
［適用例１２］
本発明に係るインクジェット記録方法の一態様は、
適用例１ないし適用例１１のいずれか１例に記載のインク組成物の液滴を吐出する工程を有する。
【発明を実施するための形態】
【００３６】
以下に本発明の好適な実施の形態について説明する。以下に説明する実施の形態は、本発明の一例を説明するものである。また、本発明は、以下の実施の形態に限定されるものではなく、本発明の要旨を変更しない範囲において実施される各種の変形例も含む。
【００３７】
なお、本発明において、スルホ基、カルボキシ基等の酸性官能基は、特に断りがない限り、遊離酸の形態で表す。
【００３８】
本発明において、「Ｃｖ−Ｃｗアルキル（基）」（ｖおよびｗは、それぞれ整数である。）とは、ｖ〜ｗ個の炭素原子を含むアルキル基を意味する。例えば、Ｃ１−Ｃ４アルキルは、１〜４個の炭素原子を含むアルキル基のことをいう。アルキル基は、特に断りがない限り、直鎖または分岐鎖のいずれの構造であってもよい。
【００３９】
また、「Ｃｖ−Ｃｗアルコキシ（基）」（ｖおよびｗは、それぞれ整数である。）は、ｖ〜ｗ個の炭素原子を含むアルコキシ基を意味する。例えば、Ｃ１−Ｃ４アルコキシは、１〜４個の炭素原子を含むアルコキシ基のことをいう。アルコキシ基は、特に断りがない限り、直鎖または分岐鎖のいずれの構造であってもよい。
【００４０】
また、「Ｃｖ−Ｃｗアルキレン（基）」（ｖおよびｗは、それぞれ整数である。）は、ｖ〜ｗ個の炭素原子を含むアルキレン基を意味する。例えば、Ｃ１−Ｃ４アルキレンは、１〜４個の炭素原子を含むアルキレン基のことをいう。アルキレン基は、特に断りがない限り、直鎖または分岐鎖のいずれの構造であってもよい。
【００４１】
１．インク組成物
本発明の一実施形態に係るインク組成物は、水と、下記一般式（１）で表される化合物またはその塩（以下、「第１染料」ともいう。）と、下記一般式（２１）で表される化合物またはその塩（以下、「第２染料」ともいう。）と、を含有する。以下、本実施形態に係るインク組成物に含まれる各成分について、詳細に説明する。
【００４２】
１．１．第１染料
（ａ）第１染料
本実施形態に係るインク組成物は、第１染料を含む。第１染料は、上述した通り、下記一般式（１）で表される化合物またはその塩である。第１染料は、インク組成物の色材として機能する染料である。
【００４３】
第１染料は、光の照射を受けたり、大気中のガス（特に、オゾン）に晒されたりしても、分解しにくい性質を備えている。そのため、本実施形態に係るインク組成物を用いて形成された画像は、耐光性、耐ガス性（特に、耐オゾン性）に優れ、光や大気の影響による変色や退色を起こしにくい。
【００４４】
また、第１染料は、インク組成物中で分解しにくい性質を備える。そのため、本実施形態に係るインク組成物は、保存安定性に優れたものとなる。なお、本明細書においては、保存安定性の指標として、インク組成物の希釈液の最大吸収波長における吸光度の変化を用いる。より詳細には、調製直後の上記希釈液の最大吸収波長における吸光度（Ａａ）と、密閉した容器内において７０℃で６日間保存した後の上記希釈液の最大吸収波長における吸光度（Ａｂ）と、の比率（Ａｂ／Ａａ）を指標とする。当該比率が１に近い程、インク組成物中の染料等の色材が経時的に分解されにくいこと示し、保存安定性に優れているといえる。なお、インク組成物の最大吸収波長における吸光度の測定は、ＪＩＳ  Ｋ０１１５に準じ、分光光度計を用いて行うことができる。また、上記希釈液は、インク組成物の染料の含有量に応じて適宜決定すればよく、後述の実施例では、純水を用いて、体積基準で２０００倍に希釈を行ったもので保存安定性試験を行った。
【００４５】
第１染料の含有量は、インク組成物の全質量に対して、１質量％以上１０質量％以下であることが好ましく、１質量％以上５質量％以下であることがより好ましい。第１染料の含有量が上記範囲内にあると、記録される画像の発色濃度を向上させたり、耐光性および耐ガス性を向上させたりすることができる。一方、第１染料の含有量が上記範囲を超えると、記録される画像の耐光性や発色濃度が低下する場合がある。また、第１染料の含有量が上記範囲未満であると、記録される画像の耐ガス性や発色濃度が低下する場合がある。
【００４６】
【化１】
0005776876.tif 000010
【００４７】
上記一般式（１）中、ｎは、０または１であり、Ｒ１は、カルボキシ基；Ｃ１−Ｃ８アルコキシカルボニル基；Ｃ１−Ｃ８アルコキシカルボニル基もしくはカルボキシ基で置換されていてもよいＣ１−Ｃ４アルキル基；またはヒドロキシ基、スルホ基もしくはカルボキシ基で置換されていてもよいフェニル基を表す。
【００４８】
また、Ｒ２、Ｒ３およびＲ４は、それぞれ独立に、水素原子；塩素原子；ヒドロキシ基；スルホ基；カルボキシ基；スルファモイル基；カルバモイル基；Ｃ１−Ｃ４アルキル基；ヒドロキシ基、Ｃ１−Ｃ４アルコキシ基、ヒドロキシＣ１−Ｃ４アルコキシ基、スルホ基もしくはカルボキシ基で置換されていてもよいＣ１−Ｃ４アルコキシ基；ヒドロキシ基、スルホ基もしくはカルボキシ基で置換されていてもよいモノもしくはジＣ１−Ｃ４アルキルアミノ基；ヒドロキシ基もしくはカルボキシ基で置換されていてもよいＣ１−Ｃ４アルキルカルボニルアミノ基；ヒドロキシ基、スルホ基もしくはカルボキシ基で置換されていてもよいＮ’−Ｃ１−Ｃ４アルキルウレイド基；ベンゼン環が塩素原子、Ｃ１−Ｃ４アルキル基、ニトロ基、スルホ基もしくはカルボキシ基で置換されていてもよいフェニルアミノ基；ベンゼン環が塩素原子、Ｃ１−Ｃ４アルキル基、ニトロ基、スルホ基もしくはカルボキシ基で置換されていてもよいベンゾイルアミノ基；またはベンゼン環が塩素原子、Ｃ１−Ｃ４アルキル基、ニトロ基、スルホ基もしくはカルボキシ基で置換されていてもよいフェニルスルホニルアミノ基；をそれぞれ表す。
【００４９】
また、基Ａは、下記一般式（２）または下記一般式（３）で表される置換複素環基である。
【００５０】
【化２】
0005776876.tif 000011
【００５１】
上記一般式（２）中、Ｒ５は、メルカプト基；またはヒドロキシ基、Ｃ１−Ｃ４アルコキシ基、ヒドロキシＣ１−Ｃ４アルコキシ基、スルホ基もしくはカルボキシ基で置換されていてもよいＣ１−Ｃ４アルキルチオ基を表す。
【００５２】
【化３】
0005776876.tif 000012
【００５３】
上記一般式（３）中、Ｒ６、Ｒ７およびＲ８は、それぞれ独立に、水素原子；塩素原子；カルボキシ基；スルホ基；ニトロ基；ヒドロキシ基；カルバモイル基；スルファモイル基；Ｃ１−Ｃ４アルキル基；ヒドロキシ基、Ｃ１−Ｃ４アルコキシ基、スルホ基もしくはカルボキシ基で置換されていてもよいＣ１−Ｃ４アルコキシ基；ヒドロキシ基、スルホ基もしくはカルボキシ基で置換されていてもよいＣ１−Ｃ４アルキルスルホニル基；またはベンゼン環が塩素原子、Ｃ１−Ｃ４アルキル基、ニトロ基、スルホ基もしくはカルボキシ基で置換されていてもよいフェニルスルホニル基；をそれぞれ表す。
【００５４】
また、基Ｂは、置換されていてもよいフェニル基またはナフチル基である。なお、基Ｂが置換フェニル基の場合は、ヒドロキシ基；スルホ基；カルボキシ基；Ｃ１−Ｃ４アルキル基；Ｃ１−Ｃ４アルコキシ基；アミノ基；モノもしくはジＣ１−Ｃ４アルキルアミノ基；アセチルアミノ基；およびベンゼン環が塩素原子、Ｃ１−Ｃ４アルキル基、ニトロ基、スルホ基もしくはカルボキシ基で置換されていてもよいベンゾイルアミノ基；よりなる群から選択される置換基を有する。一方、基Ｂが置換ナフチル基の場合は、ヒドロキシ基；スルホ基；Ｃ１−Ｃ４アルコキシ基；およびベンゼン環がメチル基、ニトロ基または塩素原子で置換されていてもよいフェニルスルホニルオキシ基；よりなる群から選択される置換基を有する。
【００５５】
第１染料は、互変異性体を有する化合物である。互変異性体としては、下記一般式（４）〜（６）等の化合物が挙げられ、これらの互変異性体も本実施形態に係る第１染料として用いることができる。
【００５６】
【化９】
0005776876.tif 000013
【００５７】
【化１０】
0005776876.tif 000014
【００５８】
【化１１】
0005776876.tif 000015
【００５９】
上記一般式（４）〜（６）におけるｎ、Ｒ１、Ｒ２、Ｒ３、Ｒ４、基Ａおよび基Ｂは、上記一般式（１）におけるものと同じ意味を表す。
【００６０】
上記一般式（１）において、Ｒ１はカルボキシ基；Ｃ１−Ｃ８アルコキシカルボニル基；Ｃ１−Ｃ８アルコキシカルボニル基またはカルボキシ基で置換されていても良いＣ１−Ｃ４アルキル基；またはヒドロキシ基、スルホ基またはカルボキシ基で置換されていても良いフェニル基を表す。
【００６１】
一般式（１）におけるＲ１がＣ１−Ｃ８アルコキシカルボニル基である場合、該アルコキシカルボニル基は、直鎖、分岐鎖及びアルキル部分が環状の構造を有するもののいずれでもよいが、直鎖及び分岐鎖のアルコキシカルボニル基が好ましい。具体例としては例えば、メトキシカルボニル、エトキシカルボニル、ｎ−プロポキシカルボニル、ｎ−ブトキシカルボニル、ｎ−ペンチルオキシカルボニル、ｎ−ヘキシルオキシカルボニル、ｎ−ヘプチルオキシカルボニル、ｎ−オクチルオキシカルボニル等の直鎖；イソプロポキシカルボニル、イソブチルオキシカルボニル、ｓｅｃ−ブトキシカルボニル、ｔｅｒｔ−ブトキシカルボニル、２，２−ジメチルプロポキシカルボニル、イソペンチルオキシカルボニル、ｓｅｃ−ペンチルオキシカルボニル、２−メチルブチルオキシカルボニル等の分岐鎖；シクロプロピルメチルオキシカルボニル、シクロブチルメチルオキシカルボニル、シクロペンチルオキシカルボニル、シクロヘキシルオキシカルボニル等のアルキル部分が環状の構造を有するもの；等が挙げられる。これらの中でも、より好ましくは直鎖Ｃ１−Ｃ６アルコキシカルボニル基であり、さらに好ましくは直鎖Ｃ１−Ｃ４アルコキシカルボニル基である。
【００６２】
一般式（１）におけるＲ１がＣ１−Ｃ８アルコキシカルボニル基またはカルボキシ基で置換されても良いＣ１−Ｃ４アルキル基であり、該Ｃ１−Ｃ４アルキル基が無置換Ｃ１−Ｃ４アルキル基である場合、該アルキル基としては、直鎖、分岐鎖のいずれでもよいが、直鎖が好ましい。Ｃ１−Ｃ４アルキル基の具体例としては、例えば、メチル、エチル、ｎ−プロピル、ｎ−ブチル等の直鎖；イソプロピル、イソブチル、ｓｅｃ−ブチル、ｔｅｒｔ−ブチル等の分岐鎖；が挙げられる。また、該Ｃ１−Ｃ４アルキル基が置換基を有する場合も、該アルキル基は、該Ｃ１−Ｃ４アルキル基が無置換Ｃ１−Ｃ４アルキル基である場合で例示したものと、好ましいものを含めてと同じでよい。該Ｃ１−Ｃ４アルキル基の置換基がＣ１−Ｃ８アルコキシカルボニル基である場合、該アルコキシカルボニル基は、Ｒ１がＣ１−Ｃ８アルコキシカルボニル基である場合と、好ましいものを含めて同じでよい。Ｒ１がＣ１−Ｃ８アルコキシカルボニル基で置換されたＣ１−Ｃ４アルキル基の場合、好ましい具体例としては、メトキシカルボニルメチル、エトキシカルボニルエチル、ｎ−ブトキシカルボニルメチル、ｎ−オクチルオキシカルボキシエチル等が挙げられる。Ｒ１がカルボキシ基で置換されても良いＣ１−Ｃ４アルキル基の場合、好ましい具体例としてはカルボキシメチル、２−カルボキシエチル、３−カルボキシプロピル、等が挙げられる。
【００６３】
一般式（１）におけるＲ1が、ヒドロキシ基、スルホ基またはカルボキシ基で置換されていても良いフェニル基である場合の具体例としては、例えば、無置換フェニル；２−ヒドロキシフェニル、４−ヒドロキシフェニル等のヒドロキシ置換フェニル；２−スルホフェニル、４−スルホフェニル、２，４−ジスルホフェニル、３，５−ジスルホフェニル等のスルホ置換フェニル；２−カルボキシフェニル、４−カルボキシフェニル、３，５−ジカルボキシフェニル等のカルボキシ置換フェニル；および、２−ヒドロキシ−５−スルホフェニル等の複数種類の基で置換されたフェニル；等が挙げられる。
【００６４】
一般式（１）におけるＲ１は、上記の中でも、カルボキシ基；Ｃ１−Ｃ４アルコキシカルボニル基；無置換Ｃ１−Ｃ４アルキル基；カルボキシ基置換Ｃ１−Ｃ４アルキル基；または無置換フェニル基がさらに好ましい。一般式（１）における好ましいＲ１の具体例としては、メチル、エチル、ｔｅｒｔ−ブチル、カルボキシメチル、３−カルボキシプロピル、メトキシカルボニルメチル、カルボキシ、メトキシカルボキシ、エトキシカルボキシ、ｎ−オクチルオキシカルボキシ、フェニル、２−ヒドロキシフェニル、４−スルホフェニルメチルであり、より好ましくはメチル、カルボキシメチル、カルボキシ、フェニルであり、さらに好ましくはメチル、カルボキシである。
【００６５】
一般式（１）において、Ｒ２、Ｒ３、Ｒ４は、それぞれ独立に、水素原子；塩素原子；ヒドロキシ基；スルホ基；カルボキシ基；スルファモイル基；カルバモイル基；Ｃ１−Ｃ４アルキル基；ヒドロキシ基、Ｃ１−Ｃ４アルコキシ基、ヒドロキシＣ１−Ｃ４アルコキシ基、スルホ基またはカルボキシ基で置換されていてもよいＣ１−Ｃ４アルコキシ基；ヒドロキシ基、スルホ基またはカルボキシ基で置換されていてもよいモノまたはジＣ１−Ｃ４アルキルアミノ基；ヒドロキシ基またはカルボキシ基で置換されていてもよいＣ１−Ｃ４アルキルカルボニルアミノ基；ヒドロキシ基、スルホ基またはカルボキシ基で置換されていてもよいＮ’−Ｃ１−Ｃ４アルキルウレイド基；ベンゼン環が塩素原子、Ｃ１−Ｃ４アルキル基、ニトロ基、スルホ基またはカルボキシ基で置換されていてもよいフェニルアミノ基；ベンゼン環が塩素原子、Ｃ１−Ｃ４アルキル基、ニトロ基、スルホ基またはカルボキシ基で置換されていてもよいベンゾイルアミノ基；またはベンゼン環が塩素原子、Ｃ１−Ｃ４アルキル基、ニトロ基、スルホ基またはカルボキシ基で置換されていていてもよいフェニルスルホニルアミノ基；をそれぞれ表す。
【００６６】
一般式（１）におけるＲ２〜Ｒ４が、無置換のＣ１−Ｃ４アルコキシ基である場合、該アルコキシ基は、直鎖または分岐鎖のいずれでもよい。無置換のＣ１−Ｃ４アルコキシ基の具体例としては、メトキシ、エトキシ、ｎ−プロポキシ、イソプロポキシ、ｎ−ブトキシ、ｓｅｃ−ブトキシ、ｔｅｒｔ−ブトキシ等が挙げられる。該アルコキシ基がヒドロキシ基、Ｃ１−Ｃ４アルコキシ基、ヒドロキシＣ１−Ｃ４アルコキシ基、スルホ基またはカルボキシ基で置換されている場合、その具体例としては、例えば、２−ヒドロキシエトキシ、２−ヒドロキシプロポキシ、３−ヒドロキシプロポキシ等のヒドロキシＣ１−Ｃ４アルコキシ基；メトキシエトキシ、エトキシエトキシ、ｎ−プロポキシエトキシ、イソプロポキシエトキシ、ｎ−ブトキシエトキシ、メトキシプロポキシ、エトキシプロポキシ、ｎ−プロポキシプロポキシ、イソプロポキシブトキシ、ｎ−プロポキシブトキシ等のＣ１−Ｃ４アルコキシＣ１−Ｃ４アルコキシ基；２−ヒドロキシエトキシエトキシ等のヒドロキシＣ１−Ｃ４アルコキシＣ１−Ｃ４アルコキシ基；３−スルホプロポキシ、４−スルホブトキシ等のスルホＣ１−Ｃ４アルコキシ基；カルボキシメトキシ、２−カルボキシエトキシ、３−カルボキシプロポキシ等のカルボキシＣ１−Ｃ４アルコキシ基；等が挙げられる。
【００６７】
一般式（１）におけるＲ２〜Ｒ４が、無置換のモノまたはジＣ１−Ｃ４アルキルアミノ基である場合、該Ｃ１−Ｃ４アルキル部分は、直鎖または分岐鎖のいずれでもよい。無置換のモノまたはジＣ１−Ｃ４アルキルアミノ基の具体例としては、メチルアミノ、エチルアミノ、ｎ−プロピルアミノ、イソプロピルアミノ、ｎ−ブチルアミノ、ジメチルアミノ、ジエチルアミノ、ジ−ｎ−プロピルアミノ、ジ−ｎ−ブチルアミノ等の直鎖；ｓｅｃ−ブチルアミノ、ｔｅｒｔ−ブチルアミノ、ジイソプロピルアミノ等の分岐鎖；等が挙げられる。該モノまたはジＣ１−Ｃ４アルキルアミノ基が、ヒドロキシ基、スルホ基またはカルボキシ基で置換されている場合、その具体例としては、例えば、２−ヒドロキシエチルアミノ、２−ヒドロキシプロピルアミノ、２，２’−ジヒドロキシジエチルアミノ等のヒドロキシ置換モノまたはジＣ１−Ｃ４アルキルアミノ基；２−スルホエチルアミノ、３−スルホプロピルアミノ、４−スルホブチルアミノ、３，３’−ジスルホジプロピルアミノ等のスルホ置換モノまたはジＣ１−Ｃ４アルキルアミノ基；カルボキシメチルアミノ、２−カルボキシエチルアミノ、３−カルボキシプロピルアミノ、２，２’−ジカルボキシジエチルアミノ等のカルボキシ置換モノまたはジＣ１−Ｃ４アルキルアミノ基；等が挙げられる。
【００６８】
一般式（１）におけるＲ２〜Ｒ４が、無置換Ｃ１−Ｃ４アルキルカルボニルアミノ基である場合、該Ｃ１−Ｃ４アルキル部分は、直鎖又は分岐鎖のいずれでもよいが、直鎖であるものが好ましい。無置換Ｃ１−Ｃ４アルキルカルボニルアミノ基の具体例としては、アセチルアミノ、プロパノイルアミノ、ブタノイルアミノ等が挙げられる。該Ｃ１−Ｃ４アルキルカルボニルアミノ基が、ヒドロキシ基またはカルボキシ基で置換されている場合、該Ｃ１−Ｃ４アルキルカルボニルアミノ基の具体例としては、例えば、ヒドロキシエタノイルアミノ、２−ヒドロキシプロパノイルアミノ、４−ヒドロキシブタノイルアミノ等のヒドロキシＣ１−Ｃ４アルキルカルボニルアミノ基；３−カルボキシプロパノイルアミノ等のカルボキシＣ１−Ｃ４アルキルカルボニルアミノ基；等が挙げられる。
【００６９】
一般式（１）におけるＲ２〜Ｒ４が、Ｎ’−Ｃ１−Ｃ４アルキルウレイド基である場合、無置換のものより、置換基を有するものである方が好ましい。該Ｎ’−Ｃ１−Ｃ４アルキルウレイド基が、ヒドロキシ基、スルホ基またはカルボキシ基で置換されている場合、その具体例としては例えば、Ｎ’−２−ヒドロキシエチルウレイド、Ｎ’−３−ヒドロキシエチルウレイド等のＮ’−ヒドロキシＣ１−Ｃ４アルキルウレイド基；Ｎ’−２−スルホエチルウレイド、Ｎ’−３−スルホプロピルウレイド等のＮ’−スルホＣ１−Ｃ４アルキルウレイド基；Ｎ’−カルボキシメチルウレイド、Ｎ’−２−カルボキシエチルウレイド、Ｎ’−３−カルボキシプロピルウレイド、Ｎ’−４−カルボキシブチルウレイド等のＮ’−カルボキシＣ１−Ｃ４アルキルウレイド基；等が挙げられる。
【００７０】
一般式（１）におけるＲ２〜Ｒ４が、塩素原子、Ｃ１−Ｃ４アルキル基、ニトロ基、スルホ基もしくはカルボキシ基でベンゼン環が置換されても良いフェニルアミノ基の具体例としては、例えば、無置換フェニルアミノ；２−クロロフェニルアミノ、４−クロロフェニルアミノ、２，４−ジクロロフェニルアミノ等の塩素原子置換フェニルアミノ基；２−メチルフェニルアミノ、４−メチルフェニルアミノ、４−ｔｅｒｔ−ブチルフェニルアミノ等のＣ１−Ｃ４アルキル置換フェニルアミノ基；２−ニトロフェニルアミノ、４−ニトロフェニルアミノ等のニトロ置換フェニルアミノ基；３−スルホフェニルアミノ、４−スルホフェニルアミノ、２，４−ジスルホフェニルアミノ、３，５−ジスルホフェニルアミノ等のスルホ置換フェニルアミノ基；２−カルボキシフェニルアミノ、４−カルボキシフェニルアミノ、２，５−ジカルボキシフェニルアミノ、３，５−ジカルボキシフェニルアミノ等のカルボキシ置換フェニルアミノ基；等が挙げられる。
【００７１】
一般式（１）におけるＲ２〜Ｒ４が、置換基を有するフェニルアミノ基、ベンゾイルアミノ基またはフェニルスルホニルアミノ基であり、それぞれの基に含まれるベンゼン環の置換基がＣ１−Ｃ４アルキル基である場合、該アルキル基は直鎖、分岐鎖又は環状のいずれでもよいが、直鎖または分岐鎖であるものが好ましい。該アルキル基の具体例としては、例えば、メチル、エチル、ｎ−プロピル、ｎ−ブチル等の直鎖；イソプロピル、イソブチル、ｓｅｃ−ブチル、ｔｅｒｔ−ブチル等の分岐鎖；が挙げられる。
【００７２】
一般式（１）におけるＲ２〜Ｒ４が、塩素原子、Ｃ１−Ｃ４アルキル基、ニトロ基、スルホ基もしくはカルボキシ基でベンゼン環が置換されても良いベンゾイルアミノ基の具体例としては、例えば、無置換ベンゾイルアミノ；２−クロロベンゾイルアミノ、４−クロロベンゾイルアミノ、２，４−ジクロロフェニルアミノ等の塩素原子置換ベンゾイルアミノ基；２−メチルベンゾイルアミノ、３−メチルベンゾイルアミノ、４−メチルベンゾイルアミノ等のＣ１−Ｃ４アルキル置換ベンゾイルアミノ基；２−ニトロベンゾイルアミノ、４−ニトロベンゾイルアミノ、３，５−ジニトロベンゾイルアミノ等のニトロ置換ベンゾイルアミノ基；２−スルホベンゾイルアミノ、４−スルホベンゾイルアミノ等のスルホ置換ベンゾイルアミノ基；２−カルボキシベンゾイルアミノ、４−カルボキシベンゾイルアミノ、３，５−ジカルボキシベンゾイルアミノ等のカルボキシ置換ベンゾイルアミノ基；等が挙げられる。
【００７３】
一般式（１）におけるＲ２〜Ｒ４が、塩素原子、Ｃ１−Ｃ４アルキル基、ニトロ基、スルホ基またはカルボキシ基でベンゼン環が置換されても良いフェニルスルホニルアミノ基の具体例としては、例えば、無置換フェニルスルホニルアミノ；２−クロロフェニルスルホニルアミノ、４−クロロフェニルスルホニルアミノ等の塩素原子置換フェニルスルホニルアミノ基；２−メチルフェニルスルホニルアミノ、４−メチルフェニルスルホニルアミノ、４−ｔｅｒｔ−ブチルフェニルスルホニルアミノ等のＣ１−Ｃ４アルキル置換フェニルスルホニルアミノ基；２−ニトロフェニルスルホニルアミノ、３−ニトロフェニルスルホニルアミノ、４−ニトロフェニルスルホニルアミノ等のニトロ置換フェニルスルホニルアミノ基；３−スルホフェニルスルホニルアミノ、４−スルホフェニルスルホニルアミノ等のスルホ置換フェニルスルホニルアミノ基；３−カルボキシフェニルスルホニルアミノ、４−カルボキシフェニルスルホニルアミノ等のカルボキシ置換フェニルスルホニルアミノ基；等が挙げられる。
【００７４】
一般式（１）における好ましいＲ２〜Ｒ４の具体例は、水素原子、カルボキシ、スルホ、メチル、エチル、メトキシ、エトキシ、２−ヒドロキシエトキシ、２−スルホエトキシ、３−スルホプロポキシ、４−スルホブトキシ、カルボキシメトキシ、２−カルボキシエトキシ、メチルアミノ、エチルアミノ、２−ヒドロキシエチルアミノ、２−スルホエチルアミノ、３−スルホプロピルアミノ、２−カルボキシエチルアミノ、ジメチルアミノ、ジエチルアミノ、２，２’−ジヒドロキシジエチルアミノ、２，２’−ジカルボキシジエチルアミノ、３，３’−ジスルホジプロピルアミノ、アセチルアミノ、３−カルボキシプロパノイルアミノ、４−ヒドロキシブタノイルアミノ、Ｎ’−カルボキシメチルウレイド、Ｎ’−２−スルホエチルウレイド、４−スルホフェニルアミノ、２，４−ジスルホフェニルアミノ、２，５−ジカルボキシフェニルアミノ、ベンゾイルアミノ、３−スルホベンゾイルアミノ、２−カルボキシベンゾイルアミノ、フェニルスルホニルアミノ、４−メチルフェニルスルホニルアミノ、４−ニトロフェニルスルホニルアミノ、３−スルホフェニルスルホニルアミノ、４−カルボキシフェニルスルホニルアミノ等であり、より好ましくは、水素原子、スルホ、メチル、メトキシ、２−ヒドロキシエトキシ、２−スルホエトキシ、３−スルホプロポキシ、４−スルホブトキシ、ジメチルアミノ、３，３’−ジスルホジプロピルアミノ、アセチルアミノ、３−カルボキシプロパノイルアミノ、Ｎ’−２−スルホエチルウレイド、２，４−ジスルホフェニルアミノ、ベンゾイルアミノ、４−メチルフェニルスルホニルアミノであり、さらに好ましくは、水素原子、スルホ、メチル、メトキシ、３−スルホプロポキシである。
【００７５】
一般式（１）における好ましいＲ２〜Ｒ４の組み合わせは、Ｒ２が３−スルホプロポキシまたは４−スルホブトキシ、Ｒ３が水素原子、Ｒ４がメチルである。
【００７６】
一般式（２）におけるＲ５がＣ１−Ｃ４アルキルチオ基の場合、該Ｃ１−Ｃ４アルキル部分は直鎖又は分岐鎖のいずれも好ましいが、直鎖がより好ましい。Ｃ１−Ｃ４アルキルチオ基の具体例としては、メチルチオ、エチルチオ、ｎ−プロピルチオ、イソプロピルチオ、ｎ−ブチルチオ、ｓｅｃ−ブチルチオ、ｔｅｒｔ−ブチルチオ等が挙げられる。また、一般式（２）におけるＲ５が置換基を有するＣ１−Ｃ４アルキルチオ基の場合、該置換基は、ヒドロキシ基、スルホ基もしくはカルボキシ基であることが好ましく、スルホ基もしくはカルボキシ基であることがより好ましい。置換基を有するＣ１−Ｃ４アルキルチオ基の具体例としては、例えば、２−ヒドロキシエチルチオ、２−ヒドロキシプロポキシ、３−ヒドロキシプロポキシチオ等のヒドロキシＣ１−Ｃ４アルキルチオ基；メトキシエチルチオ、エトキシエチルチオ、ｎ−プロポキシエチルチオ、イソプロポキシエチルチオ、ｎ−ブトキシエチルチオ、メトキシプロピルチオ、エトキシプロピルチオ、ｎ−プロポキシプロピルチオ、イソプロポキシブチルチオ、ｎ−プロポキシプロピルチオ等のＣ１−Ｃ４アルコキシＣ１−Ｃ４アルキルチオ基；２−ヒドロキシエトキシエチルチオ等のヒドロキシＣ１−Ｃ４アルコキシＣ１−Ｃ４アルキルチオ基；３−スルホプロピルチオ、４−スルホブチルチオ等のスルホＣ１−Ｃ４アルキルチオ基；カルボキシメチルチオ、２−カルボキシエチルチオ、３−カルボキシプロピルチオ等のカルボキシＣ１−Ｃ４アルキルチオ基；等が挙げられる。
【００７７】
一般式（２）における好ましいＲ５の具体例はメルカプト（−ＳＨ）、メチルチオ、エチルチオ、２−ヒドロキシエチルチオ、メトキシエチルチオ、エトキシエチルチオ、２−スルホエチルチオ３−スルホプロピルチオ、４−スルホブチルチオ、カルボキシメチルチオ、２−カルボキシエチルチオ、３−カルボキシプロピルチオ等であり、より好ましくは、メチルチオ、２−スルホプロピルチオ、カルボキシメチルチオ、２−カルボキシエチルチオであり、さらに好ましくは２−スルホプロピルチオ、２−カルボキシエチルチオである。
【００７８】
一般式（３）におけるＲ６〜Ｒ８が、Ｃ１−Ｃ４アルキル基である場合、該アルキル基は、直鎖、分岐鎖もしくは環状のいずれであってもよいが、直鎖もしくは分岐鎖であることが好ましく、直鎖であることがさらに好ましい。Ｃ１−Ｃ４アルキル基の具体例としては、例えば、メチル、エチル、ｎ−プロピル、ｎ−ブチル等の直鎖；イソプロピル、イソブチル、ｓｅｃ−ブチル、ｔｅｒｔ−ブチル等の分岐鎖；が挙げられる。
【００７９】
一般式（３）におけるＲ６〜Ｒ８が、ヒドロキシ基、Ｃ１−Ｃ４アルコキシ基、スルホ基またはカルボキシ基で置換されても良いＣ１−Ｃ４アルコキシ基である場合、該置換基としては、好ましいものも含めて、一般式（１）のＲ２〜Ｒ４がＣ１−Ｃ４アルコキシ基である場合と同じでよい。
【００８０】
一般式（３）におけるＲ６〜Ｒ８が、ヒドロキシ基、スルホ基もしくはカルボキシ基で置換されてもよいＣ１−Ｃ４アルキルスルホニル基の具体例としては、例えば、メチルスルホニル、エチルスルホニル、プロピルスルホニル、イソプロピルスルホニル、ｎ−ブチルスルホニル、ｓｅｃ−ブチルスルホニル、ｔｅｒｔ−ブチルスルホニル等の直鎖もしくは分岐鎖のＣ１−Ｃ４アルキルスルホニル基；２−ヒドロキシエチルスルホニル、３−ヒドロキシプロピルスルホニル等のヒドロキシＣ１−Ｃ４アルキルスルホニル基；２−スルホプロピルスルホニル、３−スルホプロピルスルホニル、４−スルホブチルスルホニル等のスルホＣ１−Ｃ４アルキルスルホニル基；カルボキシメチルスルホニル、２−カルボキシエチルスルホニル、３−カルボキシプロピルスルホニル等のカルボキシＣ１−Ｃ４アルキルスルホニル基；等が挙げられる。
【００８１】
一般式（３）におけるＲ６〜Ｒ８が、塩素原子、Ｃ１−Ｃ４アルキル基、ニトロ基、スルホ基またはカルボキシ基でベンゼン環が置換されても良いフェニルスルホニル基の具体例としては、例えば、無置換フェニルスルホニル；２−クロロフェニルスルホニル、４−クロロフェニルスルホニル等の塩素原子置換フェニルスルホニル基；２−メチルフェニルスルホニル、４−メチルフェニルスルホニル、２，４−ジメチルフェニルスルホニル、４−ｔｅｒｔ−ブチルフェニルスルホニル等のＣ１−Ｃ４アルキル置換フェニルスルホニル基；２−ニトロフェニルスルホニル、４−ニトロフェニルスルホニル等のニトロ置換フェニルスルホニル基；３−スルホフェニルスルホニル、４−スルホフェニルスルホニル、３，５−ジスルホフェニルスルホニル等のスルホ置換フェニルスルホニル基；２−カルボキシフェニルスルホニル、４−カルボキシフェニルスルホニル、３，５−ジカルボキシフェニルスルホニル等のカルボキシ置換フェニルスルホニル基；等が挙げられる。
【００８２】
一般式（３）における好ましいＲ６〜Ｒ８の具体例は、水素原子、塩素原子、カルボキシ、スルホ、ニトロ、メチル、エチル、メトキシ、エトキシ、２−ヒドロキシエトキシ、２−スルホエトキシ、３−スルホプロポキシ、４−スルホブトキシ、カルボキシメトキシ、２−カルボキシエトキシ、メチルスルホニル、エチルスルホニル、ｔｅｒｔ−ブチルスルホニル、２−ヒドロキシエチルスルホニル、３−スルホプロピルスルホニル、２−カルボキシエチルスルホニル、フェニルスルホニル、４−クロロフェニルスルホニル、４−メチルフェニルスルホニル、２，４−ジメチルフェニルスルホニル、４−ニトロフェニルスルホニル、４−スルホフェニルスルホニル、２−カルボキシフェニルスルホニル、４−カルボキシフェニルスルホニル等であり、より好ましくは、水素原子、塩素原子、カルボキシ、スルホ、ニトロ、メチル、メトキシ、メチルスルホニル、２−カルボキシフェニルスルホニルであり、さらに好ましくは、水素原子、スルホ、メトキシである。また、Ｒ６〜Ｒ８のうち、少なくとも１つが水素原子であることが好ましく、少なくとも１つが水素原子以外の置換基であることが好ましい。
【００８３】
一般式（３）における好ましいＲ６、Ｒ７、Ｒ８の組み合わせは、水素原子、メトキシおよびスルホ、または一つがスルホで他方二つが水素原子である。一つがスルホで他方二つが水素原子である場合は、スルホの置換位置がベンゾチアゾール環の６位の場合がより好ましい。
【００８４】
一般式（１）において、基Ｂは置換されていてもよいフェニル基またはナフチル基であり、基Ｂが置換フェニル基の場合は、ヒドロキシ基；スルホ基；カルボキシ基；Ｃ１−Ｃ４アルキル基；Ｃ１−Ｃ４アルコキシ基；アミノ基；モノまたはジＣ１−Ｃ４アルキルアミノ基；アセチルアミノ基；ベンゼン環が塩素原子、Ｃ１−Ｃ４アルキル基、ニトロ基、スルホ基またはカルボキシ基で置換されていてもよいベンゾイルアミノ基；よりなる群から選択される置換基を有し、置換ナフチル基の場合はヒドロキシ基；スルホ基；Ｃ１−Ｃ４アルコキシ基；ベンゼン環がメチル基、ニトロ基または塩素原子で置換されていてもよいフェニルスルホニルオキシ基；よりなる群から選択される置換基を有する。
【００８５】
一般式（１）における基Ｂが置換基を有するフェニル基又はナフチル基であり、該置換基がＣ１−Ｃ４アルコキシ基である場合、該アルコキシ基は、好ましいものも含めて、一般式（１）のＲ２〜Ｒ４が無置換のＣ１−Ｃ４アルコキシ基である場合と同じでよい。
【００８６】
一般式（１）における基ＢがモノまたはジＣ１−Ｃ４アルキルアミノ基置換フェニル基である場合、該モノまたはジＣ１−Ｃ４アルキルアミノ基は、好ましいものも含めて一般式（１）のＲ２〜Ｒ４が無置換のモノまたはジＣ１−Ｃ４アルキルアミノ基である場合と同じでよい。
【００８７】
一般式（１）における基Ｂが置換ナフチル基であり、該置換基がベンゼン環がメチル基、ニトロ基または塩素原子で置換されても良いフェニルスルホニルオキシ基である場合、その具体例としては、例えば、無置換フェニルスルホニルオキシ；４−メチルフェニルスルホニルオキシ、２，４−ジメチルフェニルスルホニルオキシ等のメチル置換フェニルスルホニルオキシ基；２−ニトロフェニルスルホニルオキシ、４−ニトロスルホニルオキシ等のニトロ置換フェニルスルホニルオキシ基；４−クロロフェニルスルホニルオキシ、２，４−ジクロロフェニルスルホニルオキシ、３，５−ジクロロフェニルスルホニルオキシ等の塩素原子置換フェニルスルホニルオキシ基；等が挙げられる。
【００８８】
一般式（１）においてｎは１の場合が好ましい。
【００８９】
一般式（１）における基Ｂが置換フェニル基である場合の好ましい置換基の具体例は、水素原子、ヒドロキシ、スルホ、カルボキシ、メチル、エチル、メトキシ、エトキシ、ジメチルアミノ、アセチルアミノ、ベンゾイルアミノ、４−スルホベンゾイルアミノ、４−カルボキシベンゾイルアミノ等であり、より好ましくは水素原子、ヒドロキシ、スルホ、カルボキシ、メチル、アセチルアミノであり、さらに好ましくは、水素原子、スルホ、カルボキシである。
【００９０】
一般式（１）における基Ｂが置換ナフチル基である場合の好ましい置換基の具体例は、水素原子、ヒドロキシ、スルホ、メトキシ、エトキシ、フェニルスルホニルオキシ、４−メチルフェニルスルホニルオキシ、２−ニトロフェニル等であり、より好ましくは、水素原子、ヒドロキシ、スルホ、メトキシであり、されに好ましくは、水素原子、スルホである。
【００９１】
一般式（１）における好ましい基Ｂの具体例は、フェニル、２−スルホフェニル、４−スルホフェニル、２，４−ジスルホフェニル、３，５−ジスルホフェニル、４−カルボキシフェニル、３，５−カルボキシフェニル、４−メチルフェニル、３−メチルフェニル、３−ヒドロキシ−４−カルボキシフェニル、５−スルホ−３−カルボキシ−２−ヒドロキシフェニル、４−メトキシフェニル、４−アセチルアミノフェニル、ナフチル、ナフト−２−イル、６−スルホナフチル、７−スルホナフチル、４，７−ジスルホナフチル、５，７−ジスルホナフト−２−イル、６，８−ジスルホナフト−２−イル、４，８−ジスルホナフト−２−イル、４，６，８−トリスルホナフト−２−イル等であり、より好ましくは、フェニル、４−スルホフェニル、２，４−ジスルホフェニル、４−カルボキシフェニル、３，５−カルボキシフェニル、５，７−ジスルホナフト−２−イル、４，８−ジスルホナフト−２−イルであり、されに好ましくは、フェニル、４−スルホフェニル、４−カルボキシフェニル、３，５−カルボキシフェニルである。
【００９２】
一般式（１）〜（６）の置換基について記載した好ましいもの同士を組み合わせた化合物は、より好ましく、より好ましいもの同士を組み合わせた化合物は、さらに好ましい。なお、さらに好ましいもの同士を組み合わせた場合等についても同様である。なお、上記の通り、一般式（４）〜（６）中のｎ、Ｒ１〜Ｒ４、基Ａおよび基Ｂは、一般式（１）におけるものと同じ意味を示す。
【００９３】
一般式（１）で表される化合物の塩は、無機または有機の陽イオンの塩である。無機塩の具体例としては、アルカリ金属塩、アルカリ土類金属塩およびアンモニウム塩等が挙げられる。これらの中でも好ましい無機塩としては、リチウム、ナトリウム、カリウムの塩およびアンモニウム塩である。また、有機の陽イオンの塩としては、例えば、一般式（７）で示される４級アンモニウムイオンがあげられるが、これらに限定されるものではない。
【００９４】
また、本実施形態に係る第１染料の遊離酸、その互変異性体、およびそれらの各種の塩は、混合物であってもよい。例えば、第１染料のナトリウム塩と第１染料のアンモニウム塩との混合物、第１染料の遊離酸と第１染料のナトリウム塩との混合物、第１染料のリチウム塩、第１染料のナトリウム塩および第１染料のアンモニウム塩の混合物など、いずれの組み合わせを用いてもよい。塩の種類によっては溶解性などの物性値が異なる場合があるので、必要に応じて適宜塩の種類を選択したり、複数の塩などを含む場合にその比率を変化させたりすることにより、目的に合った物性を有する混合物を得ることができる。
【００９５】
【化１２】
0005776876.tif 000016
【００９６】
上記一般式（７）においてＺ１、Ｚ２、Ｚ３、Ｚ４は、それぞれ独立に、水素原子、アルキル基、ヒドロキシアルキル基およびヒドロキシアルコキシアルキル基よりなる群から選択される基を表す。
【００９７】
一般式（７）におけるＺ１、Ｚ２、Ｚ３、Ｚ４のアルキル基の具体例としては、メチル、エチル、ｎ−プロピル、イソプロピル、ｎ−ブチル、イソブチル、ｓｅｃ−ブチル、ｔｅｒｔ−ブチルなどが挙げられる。また、ヒドロキシアルキル基の具体例としては、ヒドロキシメチル、ヒドロキシエチル、３−ヒドロキシプロピル、２−ヒドロキシプロピル、４−ヒドロキシブチル、３−ヒドロキシブチル、２−ヒドロキシブチル等のヒドロキシＣ１−Ｃ４アルキル基が挙げられる。また、ヒドロキシアルコキシアルキル基の例としては、ヒドロキシエトキシメチル、２−ヒドロキシエトキシエチル、３−ヒドロキシエトキシプロピル、２−ヒドロキシエトキシプロピル、４−ヒドロキシエトキシブチル、３−ヒドロキシエトキシブチル、２−ヒドロキシエトキシブチル等ヒドロキシＣ１−Ｃ４アルコキシＣ１−Ｃ４アルキル基が挙げられる。これらの中でも、水素原子、メチル、ヒドロキシメチル、ヒドロキシエチル、３−ヒドロキシプロピル、２−ヒドロキシプロピル、４−ヒドロキシブチル、３−ヒドロキシブチル、２−ヒドロキシブチル、ヒドロキシエトキシメチル、２−ヒドロキシエトキシエチル、３−ヒドロキシエトキシプロピル、２−ヒドロキシエトキシプロピル、４−ヒドロキシエトキシブチル、３−ヒドロキシエトキシブチル、２−ヒドロキシエトキシブチル等を好ましく用いることができる。
【００９８】
式（７）で表される４級アンモニウムイオンについて、Ｚ１、Ｚ２、Ｚ３およびＺ４の好ましい組み合わせの具体例を表１に示す。
【００９９】
【表１】
0005776876.tif 000017
【０１００】
第１染料の好適な具体例として、特に限定されるものではないが、表２〜表７に示す構造式で表される化合物などが挙げられる。各表においてスルホ基及びカルボキシ基などの官能基は、便宜上、遊離酸の形で記載するものとする。
【０１０１】
【表２】
0005776876.tif 000018
【０１０２】
【表３】
0005776876.tif 000019
【０１０３】
【表４】
0005776876.tif 000020
【０１０４】
【表５】
0005776876.tif 000021
【０１０５】
【表６】
0005776876.tif 000022
【０１０６】
【表７】
0005776876.tif 000023
【０１０７】
（ｂ）第１染料の合成方法
第１染料は、例えば次のような方法で合成することができる。なお、各工程における化合物の構造式は便宜上、遊離酸の形で表すものとする。
【０１０８】
まず、下記一般式（８）で表される化合物を常法によりジアゾ化し、これと下記一般式（９）で表される化合物を常法によりカップリング反応させ下記一般式（１０）で表される化合物を得る。次に、得られた一般式（１０）の化合物を常法によりジアゾ化した後、これと下記一般式（１１）で表される化合物を常法によりカップリング反応させ、下記一般式（１２）で表される化合物を得る。そして、得られた一般式（１２）の化合物を常法によりジアゾ化した後、これと下記一般式（１３）で表される化合物を常法によりカップリング反応させる事により、一般式（１）で表される本実施形態に係る第１染料を得ることができる。なお、一般式（１３）で表される化合物は、製品として市販品を購入できるか、又は公知の方法で合成が可能である。
【０１０９】
下記一般式（８）の化合物のジアゾ化は、公知の方法で実施される。例えば、下記一般式（８）の化合物のジアゾ化は、硫酸、酢酸もしくは燐酸中、例えば−５℃〜２０℃、好ましくは５℃〜１０℃の温度でニトロシル硫酸を使用して実施される。また、一般式（８）の化合物のジアゾ化物と一般式（９）の化合物とのカップリングは、公知の条件で実施される。一般式（８）の化合物のジアゾ化物と一般式（９）の化合物とのカップリングは、具体的には、水又は水性有機媒体中、例えば−５℃〜３０℃、好ましくは１０℃〜３０℃の温度で実施される。一般式（８）の化合物と一般式（９）の化合物とは、ほぼ化学量論量で用いることができる。
【０１１０】
一般式（１０）の化合物のジアゾ化は、公知の方法で実施される。具体的には、一般式（１０）の化合物のジアゾ化は、塩酸、硫酸のような無機酸存在下、水又は水性有機媒体（水と水溶性有機溶剤との混合物等）中、例えば−５〜４０℃、好ましくは５℃〜３０℃の温度で亜硝酸塩、たとえば亜硝酸ナトリウム等の亜硝酸アルカリ金属塩を使用して実施される。また、一般式（１０）の化合物のジアゾ化物と一般式（１１）の化合物のカップリングは、公知の条件で実施される。具体的には、一般式（１０）の化合物のジアゾ化物と一般式（１１）の化合物のカップリングは、水又は水性有機媒体中、例えば−５℃〜５０℃、好ましくは１０℃〜３０℃の温度であって、弱酸性からアルカリ性のｐＨ値で行うことが好ましい。一般式（１０）の化合物のジアゾ化物と一般式（１１）の化合物のカップリングは、より好ましくは弱酸性から弱アルカリ性のｐＨ値、たとえばｐＨ６〜ｐＨ１０で実施される。なお、ジアゾ化反応液が酸性であるため、カップリング反応の進行により反応系内は、さらに酸性化してしまうため、上記のｐＨ値への調整を塩基の添加によって行うことが好ましい。塩基としては、たとえば水酸化リチウム、水酸化ナトリウム等のアルカリ金属水酸化物、炭酸リチウム、炭酸ナトリウム、炭酸カリウム等のアルカリ金属炭酸塩、酢酸ナトリウム等の酢酸塩、アンモニア又は有機アミン等が使用できる。一般式（１０）と一般式（１１）の化合物は、ほぼ化学量論量で用いることができる。
【０１１１】
一般式（１２）の化合物のジアゾ化は、公知の方法で実施される。具体的には、一般式（１２）の化合物のジアゾ化は、塩酸、硫酸のような無機酸存在下、含む水又は水性有機媒体（水と水溶性有機溶剤との混合物等）中、例えば−５℃〜４０℃、好ましくは１０℃〜３０℃の温度で亜硝酸塩、たとえば亜硝酸ナトリウム等の亜硝酸アルカリ金属塩を使用して実施される。また、一般式（１２）の化合物のジアゾ化物と一般式（１３）の化合物のカップリングは、公知の条件で実施される。一般式（１２）の化合物のジアゾ化物と一般式（１３）の化合物のカップリングは、水又は水性有機媒体中、例えば−５℃〜５０℃、好ましくは１０℃〜３０℃の温度であって、弱酸性からアルカリ性のｐＨ値で行うことが好ましい。一般式（１２）の化合物のジアゾ化物と一般式（１３）の化合物のカップリングは、より好ましくは弱酸性から弱アルカリ性のｐＨ値、たとえばｐＨ６〜ｐＨ１０で実施され、ｐＨ値の調整は塩基の添加によって行うことが好ましい。塩基としては、一般式（１０）の化合物のジアゾ化物と一般式（１１）の化合物のカップリングで用いたものと同様のものが使用できる。一般式（１２）と一般（１３）の化合物は、ほぼ化学量論量で用いることができる。
【０１１２】
一般式（１）の化合物を所望の塩とするには、カップリング反応後、所望の無機塩または有機の陽イオンの塩を反応液に添加することにより塩析するか、あるいは塩酸など鉱酸の添加により遊離酸の形で単離し、これを水、酸性の水または水性有機媒体などを必要に応じて用い洗浄することにより無機塩を除去後、水性の媒体中で所望の無機の塩基または有機の塩基により中和することで、対応する塩の溶液とすることができる。
【０１１３】
例として、一般式（１）の化合物をリチウム塩とする方法を以下に説明する。一般式（１２）の化合物と一般式（１３）の化合物とのカップリング反応後、塩化ナトリウムを添加して、塩析および濾過分取を行うことで、一般式（１）の化合物のナトリウム塩を得る。次に、ナトリウム塩に水および塩酸を添加し酸析および濾過分取を行うことで、一般式（１）の化合物の遊離酸を得る。さらに、遊離酸に水および水酸化リチウムを添加することで、一般式（１）の化合物のリチウム塩を得ることができる。また、リチウム塩とする異なる方法としては、一般式（１）の化合物のナトリウム塩と、塩化リチウムと、を用いた塩交換反応が挙げられる。
【０１１４】
なお、酸性の水とは、例えば硫酸、塩酸などの鉱酸や酢酸などの有機酸を水に溶解し、酸性にしたものをいう。また、水性有機媒体とは、水を含有する水と混和可能な有機物質および水と混和可能ないわゆる有機溶剤などをいう。水性有機媒体の具体例としては、水溶性有機溶剤などが挙げられるが、通常溶剤として分類されない有機物質であっても水と混和可能なものであれば必要に応じて使用することが可能である。
【０１１５】
水溶性有機溶剤としては、メタノール、エタノール、プロパノール、イソプロパノール、ブタノール、イソブタノール、第二ブタノールまたは第三ブタノール等のＣ１−Ｃ４アルカノール；Ｎ，Ｎ−ジメチルホルムアミドまたはＮ，Ｎ−ジメチルアセトアミド等のカルボン酸アミド；２−ピロリドン、Ｎ−メチル−２−ピロリドンまたはＮ−メチルピロリジン−２−オン等のラクタム；１，３−ジメチルイミダゾリジン−２−オンまたは１，３−ジメチルヘキサヒドロピリミド−２−オン等の環式尿素類；アセトン、メチルエチルケトン、２−メチル−２−ヒドロキシペンタン−４−オン等のケトンまたはケトアルコール；テトラヒドロフラン、ジオキサン等の環状エーテル；エチレングリコール、１，２−プロピレングリコール、１，３−プロピレングリコール、１，２−ブチレングリコール、１，４−ブチレングリコール、１，６−ヘキシレングリコール、ジエチレングリコール、トリエチレングリコール、テトラエチレングリコール、ジプロピレングリコール、ポリエチレングリコール、ポリプロピレングリコール、チオジグリコールまたはジチオジグリコール等のＣ２〜Ｃ６アルキレン単位を有するモノ、オリゴまたはポリ−アルキレングリコールまたはチオグリコール；グリセリンまたはヘキサン−１，２，６−トリオール等のポリオール（トリオール）；エチレングリコールモノメチルエーテル、エチレングリコールモノエチルエーテル、ジエチレングリコールモノメチルエーテル、ジエチレングリコールモノエチルエーテル、ジエチレングリコールモノブチルエーテル（ブチルカルビトール）トリエチレングリコールモノメチルエーテルまたはトリエチレングリコールモノエチルエーテル等の多価アルコールのＣ１−Ｃ４アルキルエーテル；γ−ブチロラクトンまたはジメチルスルホキシド等があげられる。
【０１１６】
また、通常溶剤として分類されない有機物質の例としては、尿素や糖類などを挙げることができる。無機塩としては、例えば塩化リチウム、塩化ナトリウム、塩化カリウム等のアルカリ金属塩、塩化アンモニウム、臭化アンモニウム等のアンモニウム塩等が挙げられる。また、有機の陽イオンの塩としては、例えば、有機アミンのハロゲン塩等が挙げられる。無機の塩基としては、例えば、水酸化リチウム、水酸化ナトリウム、水酸化カリウムなどのアルカリ金属の水酸化物、水酸化アンモニウム、あるいは炭酸リチウム、炭酸ナトリウム、炭酸カリウムなどのアルカリ金属の炭酸塩などが挙げられる。また、有機の塩基としては、有機アミン、例えばジエタノールアミン、トリエタノールアミンなどの一般式（７）で表される４級アンモニウム類等が挙げられるが、これらに限定されるものではない。
【０１１７】
【化１３】
0005776876.tif 000024
【０１１８】
一般式（８）中、基Ａは、式（２）および式（３）におけるものと同じ意味を表す。
【０１１９】
【化１４】
0005776876.tif 000025
【０１２０】
一般式（９）中、Ｒ２、Ｒ３およびＲ４は、式（１）におけるものと同じ意味を表す。
【０１２１】
【化１５】
0005776876.tif 000026
【０１２２】
一般式（１０）中、基Ａ、Ｒ２、Ｒ３およびＲ４は、式（１）〜式（３）におけるものと同じ意味を表す。
【０１２３】
【化１６】
0005776876.tif 000027
【０１２４】
一般式（１１）中、ｎは、式（１）におけるものと同じ意味を表す。
【０１２５】
【化１７】
0005776876.tif 000028
【０１２６】
一般式（１２）中、Ｒ２、Ｒ３およびＲ４は、式（１）におけるものと同じ意味を表す。
【０１２７】
【化１８】
0005776876.tif 000029
【０１２８】
一般式（１３）中、Ｒ１および基Ｂは、式（１）におけるものと同じ意味を表す。
【０１２９】
本実施形態のインク組成物は、上記の表２〜表７に示す化合物の中でも、化合物Ｎｏ．１４に示される化合物またはその塩と、化合物Ｎｏ．２２に示される化合物またはその塩と、の混合物である下記一般式（１４）で表される化合物またはその塩を好ましく用いることができる。
【０１３０】
【化７】
0005776876.tif 000030
【０１３１】
１．２．第２染料
（ａ）第２染料
本実施形態に係るインク組成物は、第２染料を含有する。第２染料は、上述したように、下記一般式（２１）で表される化合物またはその塩である。第２染料は、インク組成物の色材として機能する染料である。
【０１３２】
第２染料は、第１染料の色補正用の染料である。そのため、インク組成物中における第１染料および第２染料の含有量や、これらの染料の含有比率を調整することによって、本実施形態に係るインク組成物を用いて形成される画像の色相を容易に無彩色に近づけることができる。つまり、本実施形態に係るインク組成物を用いて記録される画像の色相は、第１染料および第２染料の相補的な作用よって、目視にて優れた黒色を呈するものにできる。本明細書において、優れた黒色とは、画像のａ＊値が−３以上３以下の範囲内にあり、かつ、ｂ＊値が−３以上３以下であることを意味する。前記ａ＊値およびｂ＊値は、Ｌ＊ａ＊ｂ＊表色系としてＣＩＥ（国際照明委員会）で規定されている。
【０１３３】
また、第２染料は、第１染料とともにインク組成物に含有されることで、発色性に優れた画像を得ることができる。特に、第１染料および第２染料を含有するインク組成物を用いて高ｄｕｔｙ値で画像の記録を行った場合であっても、ブロンズ現象が起こり難い。ブロンズ現象とは、高ｄｕｔｙ値で画像の記録を行った場合に起こりやすい現象であり、本来の色相とは異なる色相を示したり、または、金属光沢を示すことで、発色性や色相が損なわれる現象である。
【０１３４】
なお、「ｄｕｔｙ値」とは、「ｄｕｔｙ（％）＝実吐出ドット数／（縦解像度×横解像度）×１００（式中、「実吐出ドット数」は単位面積当たりの実吐出ドット数であり、「縦解像度」および「横解像度」はそれぞれ単位面積当たりの解像度である。）」により算出される値である。
【０１３５】
また、第２染料は、第１染料と同様に、インク組成物中で分解しにくい性質を備える。そのため、本実施形態に係るインク組成物は、保存安定性に優れている。また、第２染料は、第１染料と同様に、光の照射を受けたり、大気中のガス（特に、オゾン）に晒されたりしても、分解しにくい性質を備えている。そのため、本実施形態に係るインク組成物を用いて形成された画像は、耐光性、耐ガス性（特に、耐オゾン性）に優れているので、光や大気の影響による変色や退色を起こしにくい。なお、第１染料および第２染料は、インク組成物中において相乗的に作用するので、インク組成物の貯蔵安定性をより向上させたり、インク組成物を用いて記録される画像の発色濃度、耐光性、耐オゾン性等をより向上させる。
【０１３６】
本実施形態におけるインク組成物において、第１染料の含有量［ＭＡ（質量％）］と、第２染料の含有量［ＭＢ（質量％）］と、の比率（ＭＢ／ＭＡ）は、０．２以上１以下であることが好ましく、０．４以上１以下であることがより好ましい。第１染料と第２染料との含有量の比率が上記範囲内にあると、良好な黒色を呈する（無彩色に近い）画像を得ることができたり、記録される画像の発色濃度を向上させたり、耐光性および耐ガス性を向上させたりすることができる。
【０１３７】
【化４】
0005776876.tif 000031
【０１３８】
上記一般式（２１）中、Ｒ２１、Ｒ２２、Ｒ２３、Ｒ２４、Ｒ２５、Ｒ２６、Ｒ２７およびＲ２８は、それぞれ独立に、水素原子；ハロゲン原子；スルホ基；カルボキシ基；スルファモイル基；カルバモイル基；Ｃ１−Ｃ４アルキル基；Ｃ１−Ｃ４アルコキシ基；置換基として、ヒドロキシ基、Ｃ１−Ｃ４アルコキシ基、ヒドロキシＣ１−Ｃ４アルコキシ基、スルホ基、およびカルボキシ基よりなる群から選択される少なくとも１種類の基で置換されたＣ１−Ｃ４アルコキシ基；Ｃ１−Ｃ４アルキルカルボニルアミノ基；カルボキシ基で置換されたＣ１−Ｃ４アルキルカルボニルアミノ基；ウレイド基；モノＣ１−Ｃ４アルキルウレイド基；ジＣ１−Ｃ４アルキルウレイド基；置換基として、ヒドロキシ基、スルホ基、およびカルボキシ基よりなる群から選択される少なくとも１種類の基で置換されたモノＣ１−Ｃ４アルキルウレイド基；置換基として、ヒドロキシ基、スルホ基、およびカルボキシ基よりなる群から選択される少なくとも１種類の基で置換されたジＣ１−Ｃ４アルキルウレイド基；ベンゾイルアミノ基；ベンゼン環が、ハロゲン原子、Ｃ１−Ｃ４アルキル基、ニトロ基、スルホ基、およびカルボキシ基よりなる群から選択される少なくとも１種類の基で置換されたベンゾイルアミノ基；ベンゼンスルホニルアミノ基；または、ベンゼン環が、ハロゲン原子、Ｃ１−Ｃ４アルキル基、ニトロ基、スルホ基、およびカルボキシ基よりなる群から選択される少なくとも１種類の基で置換されたフェニルスルホニルアミノ基；を表す。
【０１３９】
また、Ｘは、２価の架橋基を表す。
【０１４０】
上記一般式（２１）中、Ｒ２１〜Ｒ２８におけるハロゲン原子としては、フッ素原子、塩素原子、臭素原子、及びヨウ素原子が挙げられる。これらの中では、フッ素原子、塩素原子、および臭素原子が好ましく、塩素原子が特に好ましい。
【０１４１】
Ｒ２１〜Ｒ２８におけるＣ１−Ｃ４アルキル基としては、直鎖、又は分岐鎖のものが挙げられ、直鎖のものが好ましい。Ｃ１−Ｃ４アルキル基としては、例えば、メチル、エチル、ｎ−プロピル、ｎ−プチルといった直鎖のもの；イソプロピル、イソプチル、ｓｅｃ−プチル、ｔ−プチルといった分岐鎖のもの；が挙げられる。好ましい具体例としては、メチル、エチルが挙げられ、メチルが特に好ましい。
【０１４２】
Ｒ２１からＲ２８におけるＣ１−Ｃ４アルコキシ基としては、直鎖又は分岐鎖のものが挙げられる。具体例としてはメトキシ、エトキシ、ｎ−プロポキシ、ｎ−ブトキシといった直鎖のもの；イソプロポキシ、イソブトキシ、ｓｅｃ−ブトキシ、ｔ−ブトキシといった分岐鎖のもの；等が挙げられる。好ましい具体例としてはメトキシ、エトキシが挙げられ、メトキシが特に好ましい。
【０１４３】
前記Ｒ２１〜Ｒ２８における、置換基として、ヒドロキシ基、Ｃ１−Ｃ４アルコキシ基、ヒドロキシＣ１−Ｃ４アルコキシ基、スルホ基、及びカルボキシ基よりなる群から選択される少なくとも１種類の基で置換されたＣ１−Ｃ４アルコキシ基としては、Ｃ１−Ｃ４アルコキシ基における任意の炭素原子に、これらの置換基を有するものが挙げられる。該置換基の数は、通常１または２、好ましくは１である。置換基の位置は特に制限されないが、同一の炭素原子に２つ以上の酸素原子が置換しないものが好ましい。具体例としては、２−ヒドロキシエトキシ、２−ヒドロキシプロポキシ、３−ヒドロキシプロポキシ等のヒドロキシＣ１−Ｃ４アルコキシ基；メトキシエトキシ、エトキシエトキシ、ｎ−プロポキシエトキシ、イソプロポキシエトキシ、ｎ−ブトキシエトキシ、メトキシプロポキシ、エトキシプロポキシ、ｎ−プロポキシプロポキシ、イソプロポキシブトキシ、ｎ−プロポキシブトキシ等のＣ１−Ｃ４アルコキシＣ１−Ｃ４アルコキシ基；２−ヒドロキシエトキシエトキシ等のヒドロキシＣ１−Ｃ４アルコキシＣ１−Ｃ４アルコキシ基；カルボキシメトキシ、２−カルボキシエトキシ、３−カルボキシプロポキシ等のカルボキシＣ１−Ｃ４アルコキシ基；２−スルホエトキシ、３−スルホプロポキシ、４−スルホブトキシ等のスルホＣ１−Ｃ４アルコキシ基；等が挙げられる。
【０１４４】
Ｒ２１〜Ｒ２８における、Ｃ１−Ｃ４アルキルカルボニルアミノ基としては、直鎖又は分岐鎖のものが挙げられ、直鎖のものが好ましい。具体例としては、アセチルアミノ（メチルカルボニルアミノ）、エチルカルボニルアミノ、プロピルカルボニルアミノ、ブチルカルボニルアミノ等の直鎖のもの；イソプロピルカルボニルアミノ、ｔ−ブチルカルボニルアミノ等の分岐鎖のもの；等が挙げられる。
【０１４５】
Ｒ２１〜Ｒ２８における、カルボキシ基で置換されたＣ１−Ｃ４アルキルカルボニルアミノ基の具体例としては例えば、２−カルボキシエチルカルボニルアミノ、３−カルボキシプロピルカルボニルアミノ等のカルボキシＣ１−Ｃ４アルキルカルボニルアミノ基；等が挙げられる。カルボキシ基の置換数は、通常１又は２、好ましくは１である。
【０１４６】
Ｒ２１〜Ｒ２８における、モノＣ１−Ｃ４アルキルウレイド基としては、アルキル部分が直鎖又は分岐鎖のものが挙げられる。該Ｃ１−Ｃ４アルキルの置換位置は特に制限されないが、「Ｎ’」に置換するのが好ましい。本明細書において、「モノＣ１−Ｃ４アルキルウレイド基」とは、「Ｃ１−Ｃ４アルキルＮＨ−ＣＯ−ＮＨ−」基または「Ｈ２Ｎ−ＣＯ−Ｎ（Ｃ１−Ｃ４アルキル）−」基を意味し、Ｒ２１〜Ｒ２８が結合するベンゼン環において、該ベンゼン環に直接結合する窒素原子を「Ｎ」、この窒素原子とカルボニル（ＣＯ）基を介して結合する窒素原子を「Ｎ’」として記載する。したがって、該Ｃ１−Ｃ４アルキルの置換位置としては前者が「Ｎ’」、後者が「Ｎ」である。その具体例としては、Ｎ’−エチルウレイド、Ｎ’−プロピルウレイド、Ｎ’−ブチルウレイド等の直鎖のもの；Ｎ’−イソプロピルウレイド、Ｎ’−イソブチルウレイド、Ｎ’−ｔ−ブチルウレイド等の分岐鎖のもの；等が挙げられる。
【０１４７】
Ｒ２１〜Ｒ２８における、ジＣ１−Ｃ４アルキルウレイド基としては、直鎖又は分岐鎖のものが挙げられる。該Ｃ１−Ｃ４アルキルの置換位置は特に制限されず、前記「モノＣ１−Ｃ４アルキルウレイド基」における置換位置に準じて「Ｎ」及び「Ｎ’」に１つずつ、又は「Ｎ’」に２つ置換しても良いが、後者が好ましい。また２つの該Ｃ１−Ｃ４アルキルは、同一であっても異なっていてもよいが、同一のものが好ましい。その具体例としては、Ｎ’，Ｎ’−ジメチルウレイド、Ｎ’，Ｎ’−ジエチルウレイド、Ｎ’，Ｎ’−ジプロピルウレイド、Ｎ’，Ｎ’−ジブチルウレイド等の直鎖のもの；Ｎ’，Ｎ’−ジイソプロピルウレイド、Ｎ’，Ｎ’−ジイソブチルウレイド等の分岐のもの；等が挙げられる。
【０１４８】
Ｒ２１からＲ２８における、置換基として、ヒドロキシ基、スルホ基、及びカルボキシ基よりなる群から選択される少なくとも１種類の基で置換されたモノＣ１−Ｃ４アルキルウレイド基としては、前記モノＣ１−Ｃ４アルキルウレイド基における任意の炭素原子に、これらの置換基を有するものが挙げられる。該置換基の数は、通常１又は２、好ましくは１である。置換基の位置は特に制限されないが、同一の炭素原子に窒素原子とヒドロキシ基とが置換しないものが好ましい。具体例としては、Ｎ’−２−ヒドロキシエチルウレイド、Ｎ’−３−ヒドロキシプロピルウレイド等のＮ’−モノ（ヒドロキシＣ１−Ｃ４アルキル）ウレイド基；Ｎ’−２−スルホエチルウレイド、Ｎ’−３−スルホプロピルウレイド等のＮ’−モノ（スルホＣ１−Ｃ４アルキル）ウレイド基；Ｎ’−カルボキシメチルウレイド、Ｎ’−２−カルボキシエチルウレイド、Ｎ’−３−カルボキシプロピルウレイド、Ｎ’−４−カルボキシブチルウレイド等のＮ’−モノ（カルボキシＣ１−Ｃ４アルキル）ウレイド基；等が挙げられる。
【０１４９】
Ｒ２１からＲ２８における、置換基として、ヒドロキシ基、スルホ基、及びカルボキシ基よりなる群から選択される少なくとも１種類の基で置換されたジＣ１−Ｃ４アルキルウレイド基としては、前記ジＣ１−Ｃ４アルキルウレイド基における任意の炭素原子に、これらの置換基を有するものが挙げられる。該置換基の数は、通常１又は２、好ましくは２である。置換基の位置は特に制限されないが、同一の炭素原子に窒素原子とヒドロキシ基とが置換しないものが好ましい。また、置換基を複数有するとき、その種類としては同一でも異なっていてもよいが、同一のものが好ましい。具体例としては、Ｎ’，Ｎ’−ジ（２−ヒドロキシエチル）ウレイド、Ｎ’，Ｎ’−ジ（２−ヒドロキシプロピル）ウレイド、Ｎ’，Ｎ’−ジ（３−ヒドロキシプロピル）ウレイド等のＮ’，Ｎ’−ジ（ヒドロキシＣ１−Ｃ４アルキル）ウレイド基；Ｎ’，Ｎ’−ジ（３−スルホプロピル）ウレイド等のＮ’，Ｎ’−ジ（スルホＣ１−Ｃ４アルキル）ウレイド基；Ｎ’，Ｎ’−ジ（カルボキシメチル）ウレイド等のＮ’，Ｎ’−ジ（カルボキシＣ１−Ｃ４アルキル）ウレイド基；等が挙げられる。
【０１５０】
Ｒ２１からＲ２８における、ベンゼン環が、置換基として、ハロゲン原子（フッ素原子、塩素原子、臭素原子、及びヨウ素原子が挙げられ、塩素原子が特に好ましい。）、Ｃ１−Ｃ４アルキル基、ニトロ基、スルホ基、およびカルボキシ基よりなる群から選択される少なくとも１種類の基で置換されたベンゾイルアミノ基としては、これらの置換基を１ないし３つ、好ましくは１または２つ有するものが挙げられる。置換基を複数有するとき、その種類としては同一でも異なっていてもよく、同一であるものが好ましい。その具体例としては、２−クロロベンゾイルアミノ、４−クロロベンゾイルアミノ、２，４−ジクロロベンゾイルアミノ等のハロゲン原子置換ベンゾイルアミノ基；２−メチルベンゾイルアミノ、３−メチルベンゾイルアミノ、４−メチルベンゾイルアミノ等のＣ１−Ｃ４アルキル置換ベンゾイルアミノ基；２−ニトロベンゾイルアミノ、４−ニトロベンゾイルアミノ、３，５−ジニトロベンゾイルアミノ等のニトロ置換ベンゾイルアミノ基；２−スルホベンゾイルアミノ、４−スルホベンゾイルアミノ等のスルホ置換ベンゾイルアミノ基；２−カルボキシベンゾイルアミノ、４−カルボキシベンゾイルアミノ、３，５−ジカルボキシベンゾイルアミノ等のカルボキシ置換ベンゾイルアミノ基；等が挙げられる。
【０１５１】
Ｒ２１からＲ２８において、ハロゲン原子、Ｃ１−Ｃ４アルキル基、ニトロ基、スルホ基及びカルボキシ基よりなる群から選択される少なくとも１種類の基でベンゼン環が置換されたフェニルスルホニルアミノ基としては、これらの置換基を１ないし３つ、好ましくは１または２つ、より好ましくは１つ有するものが挙げられる。置換基を複数有するとき、その種類としては同一でも異なっていても良い。その具体例としては、２−クロロフェニルスルホニルアミノ、４−クロロフェニルスルホニルアミノ等のハロゲン原子置換フェニルスルホニルアミノ基；２−メチルフェニルスルホニルアミノ、４−メチルフェニルスルホニルアミノ、４−ｔ−ブチルフェニルスルホニルアミノ等のＣ１−Ｃ４アルキル置換フェニルスルホニルアミノ基；２−ニトロフェニルスルホニルアミノ、３−ニトロフェニルスルホニルアミノ、４−ニトロフェニルスルホニルアミノ等のニトロ置換フェニルスルホニルアミノ基；３−スルホフェニルスルホニルアミノ、４−スルホフェニルスルホニルアミノ等のスルホ置換フェニルスルホニルアミノ基；３−カルボキシフェニルスルホニルアミノ、４−カルボキシフェニルスルホニルアミノ等のカルボキシ置換フェニルスルホニルアミノ基；等が挙げられる。
【０１５２】
上記のうち、Ｒ２１からＲ２８としては、水素原子；ハロゲン原子；Ｃ１−Ｃ４アルキル基；Ｃ１−Ｃ４アルコキシ基；スルホ基又はカルボキシ基で置換されたＣｌ−Ｃ４アルコキシ基；Ｃ１−Ｃ４アルキルカルボニルアミノ基；が好ましい。これらの中でも、水素原子、メチル、エチル、ｔ−ブチル、２−カルボキシエトキシ、３−カルボキシプロポキシ、２−スルホエトキシ、３−スルホプロポキシ、４−スルホブトキシ；がより好ましい。さらに、これらのなかでも、水素原子、メチル、３−スルホプロポキシが特に好ましい。
【０１５３】
一般式（２１）において、Ｒ２１からＲ２８としては、少なくとも１つがスルホ基で置換されたＣ１−Ｃ４アルコキシ基であるのが好ましい。また、Ｒ２１からＲ２４がそれぞれ独立に、水素原子、Ｃ１−Ｃ４アルキル基、またはスルホ基で置換されたＣ１−Ｃ４アルコキシ基であり、かつ、Ｒ２１からＲ２４の少なくとも１つがスルホ基で置換されたＣ１−Ｃ４アルコキシ基であり、Ｒ２５からＲ２８がそれぞれ独立に、水素原子又はＣ１−Ｃ４アルキル基であるのがより好ましい。また、Ｒ２１およびＲ２２の少なくとも一方がスルホプロポキシ基であり、Ｒ２３およびＲ２４の少なくとも一方がスルホプロポキシ基であり、Ｒ２５からＲ２８がＣ１−Ｃ４アルキル基であるのがさらに好ましい。
【０１５４】
Ｒ２１からＲ２８の置換位置は特に制限されないが、これらが置換するそれぞれのベンゼン環において、トリアジン環に結合する窒素原子の置換位置を１位、アゾ基の置換位置を４位として、Ｒ２１からＲ２４が２位、Ｒ２５からＲ２８が５位に置換するのが好ましい。
【０１５５】
一般式（２１）中、Ｘを表す架橋基としては、一般式（２１）で表される化合物が水に対して溶解性を示す範囲で、２価のものであれば特に制限されない。ここで、水に対する一般式（２１）で表される化合物の溶解性としては、１リットルの水に対して一般式（２１）で表される化合物が通常５ｇ以上、好ましくは１０ｇ以上、より好ましくは２５ｇ以上、さらに好ましくは５０ｇ以上、特に好ましくは１００ｇ以上、それぞれ溶解するのが良い。その具体例としては、窒素原子、酸素原子、硫黄原子等の２価の原子（好ましくは２価のヘテロ原子）；それぞれＣ１−Ｃ８の、アルキレンジアミノ基、アルキレンジオキシ基もしくはアルキレンジチオ基；Ｎ，Ｎ’−ヒドラジンジイル基；アミノアルコキシアルキルアミノ基といった、酸素原子に２つのアルキルアミノ基が置換したもの；および、アミノアルコキシアルコキシアルキルアミノ基等のエーテル結合を１つ以上含むアルキレンオキシド鎖の末端に、アミノ基及びアルキルアミノ基が１つずつ置換したもの；等が挙げられる。Ｘを表す２価の架橋基は、炭素原子の置換基として、ヒドロキシ基、カルボキシ基およびアルコキシ基よりなる群から選択される基を；また、窒素原子の置換基として、アルキル部分がヒドロキシ基若しくはカルボキシ基で置換されていてもよいアルキル基を；それぞれ有してもよい。
【０１５６】
Ｘを表す２価の架橋基としては、Ｃ１−Ｃ８アルキレンジアミノ基；ヒドロキシ基もしくはカルボキシ基で置換されたＣ１−Ｃ８アルキレンジアミノ基；Ｎ−Ｃ１−Ｃ４アルキル−Ｃ１−Ｃ６アルキレンジアミノ基；アルキル部分がヒドロキシ基もしくはカルボキシ基で置換されたＮ−Ｃ１−Ｃ４アルキル−Ｃ１−Ｃ６アルキレンジアミノ基；アミノＣ１−Ｃ６アルコキシＣ１−Ｃ６アルキルアミノ基；アミノＣ１−Ｃ４アルコキシＣ１−Ｃ４アルコキシＣ１−Ｃ４アルキルアミノ基；キシリレンジアミノ基；ピペラジン−１，４−ジイル基；Ｃ１−Ｃ４アルキル基もしくはＣ１−Ｃ４アルコキシ基で置換されたピペラジン−１，４−ジイル基；またはフェニレンジアミノ基；よりなる群から選択されるいずれかの基が好ましい。なお、これらの２価の架橋基は、いずれもアミノ基を２つ有する「ジアミノ」基である。したがって、該「ジアミノ」は、ピペラジン−１，４−ジイル等の一部の基を除き、いずれか１つの窒素原子で架橋する（すなわち、Ｎ，Ｎ−ジイルとなる）場合、または異なる２つの窒素原子で架橋する（すなわち、Ｎ，Ｎ’−ジイルとなる）場合、の両者を含む。これらのうち、「Ｎ，Ｎ’−ジイル」となる後者の場合が特に好ましい。
【０１５７】
Ｘにおける、Ｃ１−Ｃ８アルキレンジアミノ基としては、直鎖、又は分岐鎖のものが挙げられ、直鎖のものが好ましい。炭素数の範囲としては通常Ｃ１−Ｃ８、好ましくはＣ２−Ｃ８、より好ましくはＣ２−Ｃ６、さらに好ましくはＣ２−Ｃ４が挙げられる。その具体例としては例えば、エチレンジアミノ、１，３−プロピレンジアミノ、１，４−ブチレンジアミノ、１，５−ペンチレンジアミノ、１，６−へキシレンジアミノ、１，７−ヘプチレンジアミノ、１，８−オクチレンジアミノといった直鎖のもの；２−メチル−１，３−プロピレンジアミノ、３−メチル−１，４−ブチレンジアミノ、４−メチル−１，６−ヘキシレンジアミノ等の分岐鎖のもの；等が挙げられる。
【０１５８】
Ｘにおける、ヒドロキシ基又はカルボキシ基で置換されたＣ１−Ｃ８アルキレンジアミノ基としては、前記Ｃ１−Ｃ８アルキレンジアミノ基における任意の炭素原子に、これらの置換基を有するものが挙げられる。該置換基の数は特に制限されないが、好ましくは１又は２である。また、置換基を複数有するとき、その種類としては同一でも異なっていても良く、同一のものが好ましい。その具体例としては例えば、２−ヒドロキシ−１，３−プロピレンジアミノ、２−ヒドロキシ−１，４−ブチレンジアミノ、３−ヒドロキシ−１，６−へキシレンジアミノ等のヒドロキシ置換Ｃ１−Ｃ８アルキレンジアミノ基；１−カルボキシエチレンジアミノ、１−カルボキシ−１，３−プロピレンジアミノ、１−カルボキシ−１，４−ブチレンジアミノ、１−カルボキシ−１，５−ペンチレンジアミノ、１，５−ジカルボキシ−１，５−ペンチレンジアミノ等のカルボキシ置換Ｃ１−Ｃ８アルキレンジアミノ基；等が挙げられる。
【０１５９】
Ｘにおける、Ｎ−Ｃ１−Ｃ４アルキル−Ｃ１−Ｃ６アルキレンジアミノ基としては、Ｃ１−Ｃ６アルキレンジアミノ基の一方の窒素原子が、Ｃ１−Ｃ４アルキル基で置換されたものを意味する。本明細書においては、ジアミノ基のうちＣ１−Ｃ４アルキル基で置換された窒素原子を「Ｎ」と表記し、必要に応じて他方の窒素原子を「Ｎ’」と表記する。アルキレン部分の炭素原子数の範囲としては通常Ｃ１−Ｃ６、好ましくはＣ２−Ｃ４、特に好ましくはＣ２又はＣ３である。該Ｃ１−Ｃ４アルキル基としては、直鎖又は分岐鎖のものが挙げられ、直鎖のものが好ましい。その具体例としては、Ｎ−メチルエチレンジアミノ基、Ｎ−エチルエチレンジアミノ基、Ｎ−プロピルエチレンジアミノ基、Ｎ−プチルエチレンジアミノ基といったＮ−直鎖Ｃ１−Ｃ４アルキル−Ｃ１−Ｃ６アルキレンジアミノ基；Ｎ−イソプロピルエチレンジアミノ基、Ｎ−イソブチルエチレンジアミノ基、Ｎ−ｓｅｃ−ブチルエチレンジアミノ基、Ｎ−ｔｅｒｔ−ブチルエチレンジアミノ基といったＮ−分岐鎖Ｃ１−Ｃ４アルキル−Ｃ１−Ｃ６アルキレンジアミノ基；等が挙げられる。
【０１６０】
Ｘにおける、アルキル部分がヒドロキシ基又はカルボキシ基で置換されたＮ−Ｃ１−Ｃ４アルキル−Ｃ１−Ｃ６アルキレンジアミノ基とは、前記Ｎ−Ｃ１−Ｃ４アルキル−Ｃ１−Ｃ６アルキレンジアミノ基における、Ｎ−Ｃ１−Ｃ４アルキル基のアルキル部分の任意の炭素原子に、これらの置換基を有するものが挙げられる。置換基の位置は特に制限されないが、窒素原子とヒドロキシ基とが同一の炭素原子に置換しないものが好ましい。アルキレン部分の炭素原子数の範囲としては、好ましいものも含めて前記Ｎ−Ｃ１−Ｃ４アルキル−Ｃ１−Ｃ６アルキレンジアミノ基におけるのと同じ範囲が挙げられる。また、アルキル部分の炭素数の範囲としては、通常Ｃ１−Ｃ４、好ましくはＣ２−Ｃ４、より好ましくはＣ２−Ｃ３である。該置換基の数は、通常１又は２、好ましくは１である。また、置換基を複数有するとき、その種類としては同一でも異なっていてもよいが、同一のものが好ましい。その具体例としては、Ｎ−（２−ヒドロキシエチル）エチレンジアミノ基、Ｎ−（３−ヒドロキシプロピル）エチレンジアミノ基、Ｎ−（２−ヒドロキシプロピル）エチレンジアミノ基、Ｎ−（４−ヒドロキシブチル）エチレンジアミノ基等のＮ−ヒドロキシ置換Ｃ１−Ｃ４アルキル−Ｃ１−Ｃ６アルキレンジアミノ基；Ｎ−（カルボキシメチル）エチレンジアミノ基、Ｎ−（２−カルボキシエチル）エチレンジアミノ基、Ｎ−（３−カルボキシプロピル）エチレンジアミノ基、Ｎ−（４−カルボキシブチル）エチレンジアミノ基等のＮ−カルボキシ置換Ｃ１−Ｃ４アルキル−Ｃ１−Ｃ６アルキレンジアミノ基；等が挙げられる。
【０１６１】
Ｘにおける、アミノＣ１−Ｃ６アルコキシＣ１−Ｃ６アルキルアミノ基としては、直鎖、又は分岐鎖のものが挙げられ、直鎖のものが好ましい。なお、アミノＣ１−Ｃ６アルコキシＣ１−Ｃ６アルキルアミノ基のうち、好ましい炭素数の範囲を有するものとしてアミノＣ２−Ｃ４アルコキシＣ２−Ｃ４アルキルアミノ基が挙げられ、特に好ましい炭素数の範囲を有するものとしてアミノＣ２−Ｃ３アルコキシＣ２−Ｃ３アルキルアミノ基が挙げられる。その具体例としては、アミノエトキシエチルアミノ、アミノエトキシプロピルアミノ、アミノプロポキシプロピルアミノ、アミノエトキシペンチルアミノ等が挙げられる。
【０１６２】
Ｘにおける、アミノＣ１−Ｃ４アルコキシＣ１−Ｃ４アルコキシＣ１−Ｃ４アルキルアミノ基としては、直鎖、または分岐鎖のものが挙げられ、直鎖のものが好ましい。なお、アミノＣ１−Ｃ４アルコキシＣ１−Ｃ４アルコキシＣ１−Ｃ４アルキルアミノ基のうち、好ましい炭素数の範囲を有するものとしてアミノＣ２−Ｃ４アルコキシＣ２−Ｃ４アルコキシＣ２−Ｃ４アルキルアミノ基が挙げられ、特に好ましい炭素数の範囲を有するものとしてアミノＣ２−Ｃ３アルコキシＣ２−Ｃ３アルコキシＣ２−Ｃ３アルキルアミノ基が挙げられる。その具体例としては、アミノエトキシエトキシエチルアミノ、アミノエトキシプロポキシエチルアミノ、アミノエトキシブトキシエチルアミノ等の直鎖のもの；アミノエトキシ（２−メチルエトキシ）エチルアミノ、アミノエトキシ（２−メチルプロポキシ）エチルアミノ等の分岐鎖のもの；等が挙げられる。
【０１６３】
Ｘにおけるキシリレンジアミノ基としては、例えば、ｏ−キシリレンジアミノ基、ｍ−キシリレンジアミノ基、ｐ−キシリレンジアミノ基が挙げられ、ｍ−キシリレンジアミノ基またはｐ−キシリレンジアミノ基が好ましい。
【０１６４】
Ｘにおける、Ｃ１−Ｃ４アルキル基またはＣ１−Ｃ４アルコキシ基で置換されたピペラジン−１，４−ジイル基としては、ピペラジン環の環構成原子の任意の炭素原子に、これらの置換基を有するものが挙げられる。該置換基の数は、通常１または２、好ましくは１である。また、置換基を複数有するとき、その種類としては同一でも異なっていてもよく、同一のものが好ましい。その具体例としては、２−メチルピペラジン−１，４−ジイル基、２−エチルピペラジン−１，４−ジイル基、２，５−ジメチルピペラジン−１，４−ジイル基、２，６−ジメチルピペラジン−１，４−ジイル基、２，５−ジエチルピペラジン−１，４−ジイル基、２−メチル−５−エチルピペラジン−１，４−ジイル基；等が挙げられる。
【０１６５】
Ｘにおけるフェニレンジアミノ基としては、ｏ−、ｍ−、及びｐ−フェニレンジアミノ基が挙げられ、ｍ一又はｐ−フェニレンジアミノ基が好ましい。
【０１６６】
以上のなかでも、Ｘは、Ｃ１−Ｃ８アルキレンジアミノ基；カルボキシ基で置換されたＣ１−Ｃ８アルキレンジアミノ基；アルキル部分がヒドロキシで置換されたＮ−Ｃ１−Ｃ４アルキル−Ｃ１−Ｃ６アルキレンジアミノ基；アミノＣ１−Ｃ４アルコキシＣ１−Ｃ４アルコキシＣ１−Ｃ４アルキルアミノ基；キシリレンジアミノ基；またはピペラジン−１，４−ジイル基；であることが好ましい。これらの中でも、Ｘは、Ｃ１−Ｃ８アルキレンジアミノ基；キシリレンジアミノ基；またはピペラジン−１，４−ジイル基；であることがより好ましい。これらのうち、好ましい具体例としては、１，２−エチレンジアミノ：１，３−プロピレンジアミノ；１，４−ブチレンジアミノ；１−カルボキシペンチレン−１，５−ジアミノ；Ｎ−２−ヒドロキシエチル−エチレンジアミノ；アミノエトキシエトキシエチルアミノ；ｍ−キシリレンジアミノ；又は、ピペラジン−１，４−ジイル；が挙げられる。
【０１６７】
上記一般式（２１）において、置換位置が特定されていない４つのスルホ基の置換位置は、特に制限されない。１つのアゾ結合を有するベンゼン環に置換したスルホ基は、該アゾ結合の置換位置を１位として、２、３もしくは４位に置換してもよく、４位に置換することが好ましい。
【０１６８】
一般式（２１）で表される第２染料は、下記一般式（２２）で表される化合物であることが好ましく、下記一般式（２３）で表される化合物であることがより好ましい。
【０１６９】
【化１９】
0005776876.tif 000032
【０１７０】
上記一般式（２２）中、Ｒ２１〜Ｒ２８およびＸは、式（２１）におけるものと同じ意味を表す。
【０１７１】
【化２０】
0005776876.tif 000033
【０１７２】
上記一般式（２３）中、Ｒ２１〜Ｒ２８およびＸは、式（２１）におけるものと同じ意味を表す。
【０１７３】
一般式（２１）〜（２３）におけるＲ２１からＲ２８、一般式（２１）におけるＲ２１〜Ｒ２８の置換位置、ならびに一般式（２１）および一般式（２２）における置換位置が特定されていないスルホの置換位置等について、好ましいもの同士を組み合わせた化合物はより好ましく、より好ましいもの同士を組み合わせたものはさらに好ましい。さらに好ましいもの同士、好ましいものとより好ましいものとの組み合わせ等についても同様である。
【０１７４】
一般式（２１）で表される化合物の塩は、無機または有機の陽イオンの塩であることができる。無機塩としては、アルカリ金属塩、アルカリ土類金属塩、およびアンモニウム塩が挙げられる。これらの中でも好ましい無機塩は、リチウム、ナトリウム、カリウム等のアルカリ金属塩およびアンモニウム塩である。また、有機の陽イオンの塩としては、例えば、上記一般式（７）で示される４級アンモニウムイオンが挙げられるが、これに限定されるものではない。
【０１７５】
また、本実施形態に係る第２染料の遊離酸およびそれらの各種の塩は、混合物であってもよい。例えば、第２染料のナトリウム塩と第２染料のアンモニウム塩との混合物、第２染料の遊離酸と第２染料のナトリウム塩との混合物、第２染料のリチウム塩、第２染料のナトリウム塩および第２染料のアンモニウム塩の混合物等、いずれの組み合わせを用いてもよい。塩の種類によっては溶解性等の物性が異なる場合も有り、必要に応じて適宜塩の種類を選択したり、複数の塩などを含む場合にその比率を変化させたりすることにより、目的に合った物性を有する混合物を得ることができる。
【０１７６】
第２染料の好適な具体例として、特に限定されるものではないが、表８〜表２９に示す構造式で表される化合物などが挙げられる。各表においてスルホ基及びカルボキシ基等の官能基は、便宜上、遊離酸の形で記載するものとする。
【０１７７】
【表８】
0005776876.tif 000034
【０１７８】
【表９】
0005776876.tif 000035
【０１７９】
【表１０】
0005776876.tif 000036
【０１８０】
【表１１】
0005776876.tif 000037
【０１８１】
【表１２】
0005776876.tif 000038
【０１８２】
【表１３】
0005776876.tif 000039
【０１８３】
【表１４】
0005776876.tif 000040
【０１８４】
【表１５】
0005776876.tif 000041
【０１８５】
【表１６】
0005776876.tif 000042
【０１８６】
【表１７】
0005776876.tif 000043
【０１８７】
【表１８】
0005776876.tif 000044
【０１８８】
【表１９】
0005776876.tif 000045
【０１８９】
【表２０】
0005776876.tif 000046
【０１９０】
【表２１】
0005776876.tif 000047
【０１９１】
【表２２】
0005776876.tif 000048
【０１９２】
【表２３】
0005776876.tif 000049
【０１９３】
【表２４】
0005776876.tif 000050
【０１９４】
【表２５】
0005776876.tif 000051
【０１９５】
【表２６】
0005776876.tif 000052
【０１９６】
【表２７】
0005776876.tif 000053
【０１９７】
【表２８】
0005776876.tif 000054
【０１９８】
【表２９】
0005776876.tif 000055
【０１９９】
（ｂ）第２染料の合成方法
一般式（２１）ないし一般式（２３）で表されるアゾ化合物は、例えば次のような方法で合成することができる。なお、各工程における化合物の構造式は、遊離酸の形で表すものとし、また下記一般式（２４）〜（３０）において適宜使用されるＲ２１〜Ｒ２８およびＸは、それぞれ上記一般式（２１）におけるものと同じ意味を表す。
【０２００】
まず、下記一般式（２４）で表される化合物を常法によりジアゾ化し、これと下記式（２５）で表される化合物とを常法によりカップリング反応させ、下記一般式（２６）で表される化合物を得る。
【０２０１】
なお、一般式（２６）で表される化合物の他の合成方法としては、以下の方法が挙げられる。具体的には、一般式（２４）で表される化合物を常法によりジアゾ化し、これとアニリンのメチル−ω−スルホン酸誘導体とを常法によりカップリング反応させた後、アルカリ条件下で加水分解して、下記一般式（２７）で表される化合物を得る。得られた一般式（２７）で表される化合物を発煙硫酸等で処理してスルホ化することにより、一般式（２６）で表される化合物を得ることができる。また、一般式（２６）で表される化合物の中には、市販品として購入できるもの（例えばＣ．Ｉ．アシッドイエロー９）もある。
【０２０２】
次に、得られた一般式（２６）で表される化合物を常法によりジアゾ化した後、これと下記一般式（２８）で表される化合物とを常法によりカップリング反応させ、下記一般式（２９）で表される化合物を得る。
【０２０３】
一方、一般式（２６）で表される化合物を常法によりジアゾ化した後、これと下記一般式（３０）で表される化合物とを常法によりカップリング反応させ、下記一般式（３１）で表される化合物を得る。同様にして、一般式（２６）で表される化合物を常法によりジアゾ化した後、これと下記一般式（３２）で表される化合物とを常法によりカップリング反応させ、下記一般式（３３）で表される化合物を得る。同様にして、一般式（２６）で表される化合物を常法によりジアゾ化した後、これと下記一般式（３４）で表される化合物とを常法によりカップリング反応させ、下記一般式（３５）で表される化合物を得る。
【０２０４】
次に、得られた一般式（２９）で表される化合物とハロゲン化シアヌル（例えば、塩化シアヌル）とを常法により縮合反応させ、下記一般式（３６）で表される化合物を得る。
【０２０５】
次いで、得られた一般式（３６）で表される化合物と一般式（３１）で表される化合物とを常法により縮合反応させ、下記一般式（３７）で表される化合物を得る。同様にして、得られた一般式（３３）で表される化合物とハロゲン化シアヌル（例えば、塩化シアヌル）とを常法により縮合反応させ、下記式（３８）で表される化合物を得る。
【０２０６】
次いで、得られた一般式（３８）で表される化合物と一般式（３５）で表される化合物とを常法により縮合反応させ、下記一般式（３９）で表される化合物を得る。
【０２０７】
次いで、得られた一般式（３７）で表される化合物と一般式（３９）で表される化合物と下記一般式（４０）で表される架橋基Ｘに対応する化合物とを、常法により縮合反応させることにより、一般式（２１）で表される第２染料を得ることができる。
【０２０８】
【化２１】
0005776876.tif 000056
【０２０９】
【化２２】
0005776876.tif 000057
【０２１０】
【化２３】
0005776876.tif 000058
【０２１１】
【化２４】
0005776876.tif 000059
【０２１２】
【化２５】
0005776876.tif 000060
【０２１３】
【化２６】
0005776876.tif 000061
【０２１４】
【化２７】
0005776876.tif 000062
【０２１５】
【化２８】
0005776876.tif 000063
【０２１６】
【化２９】
0005776876.tif 000064
【０２１７】
【化３０】
0005776876.tif 000065
【０２１８】
【化３１】
0005776876.tif 000066
【０２１９】
【化３２】
0005776876.tif 000067
【０２２０】
【化３３】
0005776876.tif 000068
【０２２１】
【化３４】
0005776876.tif 000069
【０２２２】
【化３５】
0005776876.tif 000070
【０２２３】
【化３６】
0005776876.tif 000071
【０２２４】
【化３７】
0005776876.tif 000072
【０２２５】
一般式（２４）で表される化合物のジアゾ化は、公知の方法で実施される。具体的には、無機酸媒質中、例えば−５〜３０℃、好ましくは０〜２０℃の温度で、亜硝酸塩（例えば亜硝酸ナトリウム等の亜硝酸アルカリ金属塩）を使用して実施される。また、一般式（２４）で表される化合物のジアゾ化物と式（２５）で表される化合物とのカップリング反応は、公知の反応条件で実施される。例えば、水又は水性有機媒体中、０〜３０℃（好ましくは５〜２５℃）の温度、ならびに酸性から弱酸性のｐＨ値（例えば、ｐＨ１〜ｐＨ６）で反応を行うことが好ましい。ジアゾ化反応液は酸性であり、カップリング反応の進行により反応系内は更に酸性化してしまうため、塩基の添加によって反応液を上記ｐＨ値に調整することが好ましい。塩基としては、例えば、水酸化リチウム、水酸化ナトリウム等のアルカリ金属水酸化物；炭酸リチウム、炭酸ナトリウム、炭酸カリウム等のアルカリ金属炭酸塩；酢酸ナトリウム等の酢酸塩；アンモニアもしくは有機アミン；等が使用できる。一般式（２４）の化合物と式（２５）の化合物とは、ほぼ化学量論量で用いる。
【０２２６】
一般式（２６）で表される化合物のジアゾ化は、公知の方法で実施される。具体的には、無機酸媒質中、例えば−５〜３０℃、好ましくは０〜２５℃の温度で、亜硝酸塩（例えば、亜硝酸ナトリウム等の亜硝酸アルカリ金属塩）を使用して実施される。一般式（２６）で表される化合物のジアゾ化物と、一般式（２８）、一般式（３０）、一般式（３２）、または一般式（３４）で表される化合物とのカップリング反応は、公知の反応条件で実施される。例えば、水または水性有機媒体中、０〜３０℃、好ましくは５〜２５℃の温度、ならびに酸性から弱酸性のｐＨ値（例えば、ｐＨ１〜ｐＨ６）で反応を行うことが有利である。ジアゾ化反応液は酸性であり、カップリング反応の進行により反応系内は更に酸性化してしまうため、塩基の添加によって反応液を前記のｐＨ値へ調整するのが好ましい。塩基としては上述したものと同じものが使用できる。一般式（２６）の化合物と、一般式（２８）、一般式（３０）、一般式（３２）、または一般式（３４）の化合物とは、ほぼ化学量論量で用いる。
【０２２７】
一般式（２９）または一般式（３３）で表される化合物とハロゲン化シアヌル（例えば、塩化シアヌル）との縮合反応は、公知の方法で実施される。例えば、水または水性有機媒体中、０℃〜３０℃、好ましくは５℃〜２５℃の温度、ならびに弱酸性から中性のｐＨ値（例えば、ｐＨ３〜ｐＨ８）で反応を行うことが好ましい。反応の進行により反応系内は酸性化してしまうため、塩基の添加によって上記ｐＨ値に調整することが好ましい。塩基としては、上述したものと同じものが使用できる。一般式（２９）または一般式（３３）の化合物とハロゲン化シアヌルとは、ほぼ化学量論量で用いる。
【０２２８】
一般式（３１）で表される化合物と一般式（３６）で表される化合物との縮合反応、または一般式（３５）で表される化合物と一般式（３８）で表される化合物との縮合反応は、公知の方法で実施される。例えば、水または水性有機媒体中、１０〜８０℃、好ましくは２５〜７０℃の温度、ならびに弱酸性から弱アルカリ性のｐＨ値（例えば、ｐＨ５〜ｐＨ９）で反応を行うことが好ましい。ｐＨ値の調整は、塩基の添加によって実施される。塩基としては、上述したものと同じものが使用できる。一般式（３１）で表される化合物と一般式（３６）で表される化合物、または一般式（３５）で表される化合物と一般式（３８）で表される化合物とは、ほぼ化学量論量で用いる。
【０２２９】
一般式（３７）で表される化合物と一般式（３９）で表される化合物と一般式（４０）で表される化合物との縮合反応は、公知の方法で実施される。具体的には、水または水性有機媒体中、５０℃〜１００℃、好ましくは６０℃〜９５℃の温度、ならびに中性から弱アルカリ性のｐＨ値（例えば、ｐＨ７〜ｐＨ１０）で行うことが好ましい。ｐＨ値の調整は、塩基の添加によって実施される。塩基としては、上述したものと同じものが使用できる。一般式（３７）で表される化合物１当量と一般式（３９）で表される化合物１当量に対し、一般式（４０）で表される化合物は、０．４当量〜０．６当量、好ましくは０．５当量を用いる。
【０２３０】
一般式（２１）の化合物を所望の塩とするためには、一般式（２１）で表される化合物の合成反応における最終工程の終了後に、一般式（１）の化合物を所望の塩にする方法と同様にして実施されればよい。
【０２３１】
本実施形態のインク組成物は、上記の表８〜表２９に示す化合物の中でも、化合物Ｎｏ．９５で示される下記式（４１）の化合物またはその塩を好ましく用いることができる。
【０２３２】
【化６】
0005776876.tif 000073
【０２３３】
１．３．その他の色材
本実施形態に係るインク組成物は、第１染料および第２染料以外の色材を含んでいてもよい。第１染料および第２染料以外の色材としては、特に限定されないが、例えば、下記一般式（５１）で表される化合物（以下、「第３染料」ともいう。）が挙げられる。
【０２３４】
第３染料は、インク組成物の色相の調整をより一層容易にすることができる。具体的には、本実施形態に係るインク組成物が第３染料を含有していると、インク組成物中に含まれる第１染料、第２染料および第３染料の相補的な作用により、形成される画像の色相を無彩色に近づけることがより一層容易になる。
【０２３５】
本実施形態に係るインク組成物が第３染料を含有する場合において、第１染料の含有量［ＭＡ（質量％）］と、第３染料の含有量［ＭＣ（質量％）］と、の比率（ＭＣ／ＭＡ）は、０．５以上１．５以下であることが好ましく、０．７以上１．３以下であることがより好ましい。第１染料と第３染料との含有量の比率が上記範囲内にあると、良好な黒色を呈する（無彩色に近い）画像をより一層容易に得ることができたり、記録される画像の発色濃度を向上させたり、耐光性を向上させたりすることができる。
【０２３６】
【化５】
0005776876.tif 000074
【０２３７】
上記一般式（５１）中、Ｒ５１は、ハロゲン原子；水素原子；ＳＯ３Ｍ；またはＣＯＯＭ；を表す。また、Ｒ５２およびＲ５３は、それぞれ独立に、水素原子；ＳＯ３Ｍ；またはＣＯＯＭ；を表す。また、Ｍは、それぞれ独立に、ＬｉおよびＮａの少なくとも一方を表す。ただし、一般式（５１）中、Ｒ５２およびＲ５３がいずれも水素原子である場合はない。
【０２３８】
一般式（５１）で表される化合物としては、例えば、下記一般式（５２）で表される化合物、下記一般式（５３）で表される化合物、および下記一般式（５４）で表される化合物が挙げられる。なお、これらの一般式（５２）〜（５４）で表される化合物は、１種類のみ単独で用いてもよいし、２種類以上を混合して用いてもよいが、一般式（５２）で表される化合物を単独で用いることが好ましい。
【０２３９】
【化８】
0005776876.tif 000075
【０２４０】
一般式（５２）中、Ｍは、それぞれ独立に、ＬｉおよびＮａの少なくとも一方を表す。
【０２４１】
【化３８】
0005776876.tif 000076
【０２４２】
一般式（５３）中、Ｍは、それぞれ独立に、ＬｉおよびＮａの少なくとも一方を表す。
【０２４３】
【化３９】
0005776876.tif 000077
【０２４４】
一般式（５４）中、Ｍは、それぞれ独立に、ＬｉおよびＮａの少なくとも一方を表す。
【０２４５】
１．４．水
本実施形態に係るインク組成物は、水を含有する。水は、インク組成物において上述した色材を分散もしくは溶解させる主溶媒として機能する。
【０２４６】
水は、イオン交換水、限外濾過水、逆浸透水、蒸留水等の純水または超純水のようなイオン性不純物を極力除去したものであることが好ましい。また、紫外線照射または過酸化水素添加等により滅菌した水を用いると、顔料分散液およびこれを用いた水性インク組成物を長期保存する場合にカビやバクテリアの発生を防止することができるので好適である。
【０２４７】
本実施形態に係るインク組成物に含有される水は、インク組成物の全質量に対して、５０質量％以上であることが好ましい。
【０２４８】
１．５．その他の成分
本実施形態に係るインク組成物は、界面活性剤を含有することができる。界面活性剤としては、ノニオン系界面活性剤、カチオン系界面活性剤、アニオン系界面活性剤、両性界面活性剤等が挙げられる。界面活性剤は、１種単独で用いてもよいし、２種以上混合して用いてもよい。
【０２４９】
これらの中でも、ノニオン系界面活性剤は、インク組成物の被記録媒体に対する浸透性および定着性を向上できるとともに、インクジェット記録方法によって被記録媒体上に付着させたインク組成物の液滴の形状を真円に近いものとすることができるので、好ましく用いることができる。
【０２５０】
また、ノニオン系界面活性剤の中でも、アセチレングリコール系界面活性剤は、表面張力および界面張力を適正に保つ能力に優れており、かつ起泡性がほとんどないという特性を有する点から、より好ましく用いることができる。アセチレングリコール系界面活性剤としては、例えば、２，４，７，９−テトラメチル−５−デシン−４，７−ジオール、３，６−ジメチル−４−オクチン−３，６−ジオール、３，５−ジメチル−１−ヘキシン−３オールおよび２，４−ジメチル−５−ヘキシン−３−オールなどが挙げられる。また、アセチレングリコール系界面活性剤は市販品も利用することができ、サーフィノール１０４、１０４Ｅ、１０４Ｈ、１０４Ａ、１０４ＢＣ、１０４ＤＰＭ、１０４ＰＡ、１０４ＰＧ−５０、１０４Ｓ、４２０、４４０、４６５、４８５、ＳＥ、ＳＥ−Ｆ、５０４、６１、ＤＦ３７、ＣＴ１１１、ＣＴ１２１、ＣＴ１３１、ＣＴ１３６、ＴＧ、ＧＡ（以上全て商品名、Ａｉｒ  Ｐｒｏｄｕｃｔｓ  ａｎｄ  Ｃｈｅｍｉｃａｌｓ．  Ｉｎｃ．社製）、オルフィンＢ、Ｙ、Ｐ、Ａ、ＳＴＧ、ＳＰＣ、Ｅ１００４、Ｅ１０１０、ＰＤ−００１、ＰＤ−００２Ｗ、ＰＤ−００３、ＰＤ−００４、ＥＸＰ．４００１、ＥＸＰ．４０３６、ＥＸＰ．４０５１、ＡＦ−１０３、ＡＦ−１０４、ＡＫ−０２、ＳＫ−１４、ＡＥ−３（以上全て商品名、日信化学工業株式会社製）、アセチレノールＥ００、Ｅ００Ｐ、Ｅ４０、Ｅ１００（以上全て商品名、川研ファインケミカル株式会社製）等が挙げられる。
【０２５１】
界面活性剤を含有する場合には、その含有量は、インク組成物の全質量に対して、０．１質量％以上５質量％以下であることが好ましい。
【０２５２】
本実施形態に係るインク組成物は、浸透促進剤を含有することができる。浸透促進剤は、被記録媒体に対するインク組成物の濡れ性をさらに向上させて均一に塗らす作用を備える。これにより、形成された画像のインクの濃淡ムラや滲みをさらに低減させることができ、画像の発色濃度を一層向上させることができる。浸透促進剤は、１種単独で用いてもよいし、２種以上混合して用いてもよい。
【０２５３】
浸透促進剤としては、例えば、グリコールエーテル類が挙げられる。グリコールエーテル類は、浸透促進剤としての効果に特に優れる。グリコールエーテル類としては、例えば、エチレングリコールモノブチルエーテル、ジエチレングリコールモノブチルエーテル、トリエチレングリコールモノエチルエーテル、トリエチレングリコールモノブチルエーテル、プロピレングリコールモノメチルエーテル、ジプロピレングリコールモノエチルエーテル、プロピレングリコールモノブチルエーテル、ジプロピレングリコールモノブチルエーテル等が挙げられる。これらの中でも、本実施形態に係るインク組成物に含まれる成分との相溶性に優れている点から、トリエチレングリコールモノブチルエーテルを好ましく用いることができる。
【０２５４】
浸透促進剤を含有する場合には、その含有量は、インク組成物の全質量に対して、５質量％以上１５質量％以下であることが好ましい。
【０２５５】
本実施形態に係るインク組成物は、保湿剤を含有することができる。保湿剤としては、例えば、１，２−アルカンジオール類、多価アルコール類、ピロリドン誘導体、尿素類等が挙げられる。保湿剤は、１種単独で用いてもよいし、２種以上混合して用いてもよい。
【０２５６】
１，２−アルカンジオール類は、被記録媒体に対するインク組成物の濡れ性を高めて均一に濡らす作用に優れているため、被記録媒体上に優れた画像を形成することができる。１，２−アルカンジオール類としては、例えば、１，２−プロパンジオール、１，２−ブタンジオール、１，２−ペンタンジオール、１，２−ヘキサンジオール、１，２−オクタンジオール等が挙げられる。１，２−アルカンジオール類を含有する場合には、その含有量は、インク組成物の全質量に対して、１質量％以上２０質量％以下であることが好ましい。
【０２５７】
多価アルコール類は、インク組成物をインクジェット記録装置に用いた場合に、ヘッドのノズル面でのインクの乾燥固化を抑制して目詰まりや吐出不良等を低減できるという観点から好ましく用いることができる。多価アルコール類としては、例えば、エチレングリコール、ジエチレングリコール、トリエチレングリコール、プロピレングリコール、ジプロピレングリコール、１，３−プロパンジオール、１，４−ブタンジオール、１，６−ヘキサンジオール、グリセリン等が挙げられる。多価アルコール類を含有する場合には、その含有量は、インク組成物の全質量に対して、１質量％以上２０質量％以下であることが好ましい。
【０２５８】
ピロリドン誘導体は、ヘッドのノズル面でのインクの乾燥固化を抑制して目詰まりや吐出不良等を低減できるという観点から好ましく用いることができる。ピロリドン誘導体としては、例えば、Ｎ−メチル−２−ピロリドン、Ｎ−エチル−２−ピロリドン、Ｎ−ビニル−２−ピロリドン、２−ピロリドン、Ｎ−ブチル−２−ピロリドン、５−メチル−２−ピロリドン等が挙げられる。ピロリドン誘導体を含有する場合には、その含有量は、インク組成物の全質量に対して、１質量％以上２０質量％以下であることが好ましい。
【０２５９】
尿素類は、インク組成物をインクジェット記録装置に用いた場合に、ヘッドのノズル面でのインクの乾燥固化を抑制して目詰まりや吐出不良等を低減できるという観点から好ましく用いることができる。尿素類としては、例えば、尿素、チオ尿素、エチレン尿素、１，３−ジメチルイミダゾリジノン類等が挙げられる。尿素類を含有する場合には、その含有量は、インク組成物の全質量に対して、１質量％以上２０質量％以下であることが好ましい。
【０２６０】
本実施形態に係るインク組成物は、ｐＨ調整剤を含有することができる。ｐＨ調整剤は、インク組成物のｐＨ値の調整を容易にすることができる。ｐＨ調製剤は、１種単独で用いてもよいし、２種以上混合して用いてもよい。
【０２６１】
ｐＨ調整剤としては、無機酸（例えば、硫酸、塩酸、硝酸等）、無機塩基（例えば、水酸化リチウム、水酸化ナトリウム、水酸化カリウム、アンモニア等）、有機塩基（トリエタノールアミン、ジエタノールアミン、モノエタノールアミン、トリ−ｉｓｏ−プロパノールアミン）、有機酸（例えば、アジピン酸、クエン酸、コハク酸等）等が挙げられる。
【０２６２】
ｐＨ調整剤としては、上記の中でも、有機酸および有機塩基の少なくとも一方を用いることが好ましい。特に、有機酸と有機塩基とを組み合わせて使用する場合には、無機酸と無機塩基、無機酸と有機塩基、有機酸と無機塩基の組み合わせよりもｐＨ緩衝能力が高い。そのため、有機酸と有機塩基とを組み合わせて使用した場合には、ｐＨ値の変動を抑制する効果が一層向上して、所望のｐＨに設定しやすいという効果を奏する。
【０２６３】
本実施形態に係るインク組成物は、さらに、防腐剤・防かび剤、防錆剤、キレート化剤等を含有することができる。本実施形態に係るインク組成物は、これらの化合物を含有していると、その特性がさらに向上する場合がある。
【０２６４】
防腐剤・防かび剤としては、例えば、安息香酸ナトリウム、ペンタクロロフェノールナトリウム、２−ピリジンチオール−１−オキサイドナトリウム、ソルビン酸ナトリウム、デヒドロ酢酸ナトリウム、１，２−ジベンジソチアゾリン−３−オン等が挙げられる。市販品では、プロキセルＸＬ２、プロキセルＧＸＬ（以上商品名、アビシア社製）や、デニサイドＣＳＡ、ＮＳ−５００Ｗ（以上商品名、ナガセケムテックス株式会社製）等が挙げられる。
【０２６５】
防錆剤としては、例えば、ベンゾトリアゾール等が挙げられる。
【０２６６】
キレート化剤としては、例えば、エチレンジアミン四酢酸およびそれらの塩類（エチレンジアミン四酢酸二水素二ナトリウム塩等）等が挙げられる。
【０２６７】
１．６．物性
本実施形態に係るインク組成物をインクジェット記録装置に用いる場合において、インク組成物の２０℃における粘度は、２ｍＰａ・ｓ以上１０ｍＰａ・ｓ以下であることが好ましく、３ｍＰａ・ｓ以上６ｍＰａ・ｓ以下であることがより好ましい。インク組成物は、２０℃における粘度が上記範囲内にあると、ノズルから適量吐出され、飛行曲がりを起こすことや飛散することを一層低減できるので、インクジェット記録装置に好適に使用することができる。インク組成物の粘度は、振動式粘度計ＶＭ−１００ＡＬ（山一電機株式会社製）を用いて、インク組成物の温度を２０℃に保持することで測定できる。
【０２６８】
本実施形態に係るインク組成物の２０℃におけるｐＨは、７以上９以下であることが好ましく、７以上８以下であることがより好ましく、７以上７．５以下であることが特に好ましい。インク組成物は、２０℃におけるｐＨが上記範囲内にあると、保存安定性が一層向上したり、インクジェット記録装置のノズル面の腐食を低減できる。特に、インク組成物のｐＨは、アルカリ性側から７に近づくにつれて、保存安定性に一層優れたものとなる。インク組成物のｐＨの測定には、例えば、卓上型ｐＨメータ（株式会社堀場製作所製、型番「Ｆ−５０」）を使用して、インク組成物の温度を２０℃に保持することで測定できる。
【０２６９】
２．インクジェット記録方法
本実施形態に係るインクジェット記録方法は、上記のインク組成物の液滴を吐出する工程を有する。本実施形態に係るインクジェット記録方法は、従来公知のインクジェット記録装置を用いて行うことができる。
【０２７０】
インクジェット記録装置を用いたインクジェット記録方法は、例えば、次の様に行うことができる。具体的には、インク組成物を液滴として被記録媒体上に吐出して、インク組成物の液滴を被記録媒体に付着させることにより画像を形成することができる。インクジェット吐出方法としては、従来公知の方式はいずれも使用でき、特に圧電素子の振動を利用して液滴を吐出させる方法（電歪素子の機械的変形によりインク滴を形成するインクジェットヘッドを用いた記録方法）においては優れた画像記録を行うことが可能である。
【０２７１】
被記録媒体としては、特に限定されないが、例えば、紙、厚紙、繊維製品、シートまたはフィルム、プラスチック、ガラス、セラミックス、金属等が挙げられる。
【０２７２】
３．実施例
以下、本発明を実施例および比較例によってさらに具体的に説明するが、本発明はこれらの実施例に限定されるものではない。
【０２７３】
３．１．染料の合成
（製造例１）
後述の工程１〜３により、下記式（４１）で表される化合物の合成を行った。
【０２７４】
（工程１）
水２００部に、下記式（４２）で表されるモノアゾ化合物３５．７部を加え、水酸化ナトリウムでｐＨ６に調整しながら、亜硝酸ナトリウム７．２部を加えて溶液とした。この溶液を、３５％塩酸３１．３部を水２００部で希釈した水溶液中に、０〜１０℃に保ちながら３０分間かけて滴下した後、２０℃以下で１時間撹拌してジアゾ化反応を行った。得られた反応液にスルファミン酸０．４部を添加し５分間撹拌して、最終的なジアゾ反応液とした。
【０２７５】
【化４０】
0005776876.tif 000078
【０２７６】
一方、４０〜５０℃の水３００部に、下記式（４３）で表される化合物２４．０部および２５％水酸化ナトリウム水溶液を加えてｐＨ５〜６に調整し、水溶液を得た。この水溶液１５〜２５℃に保ちながら、上記のジアゾ反応液を３０分間かけて滴下した。滴下中は炭酸ナトリウム水溶液の添加によりｐＨ５〜６に保持した。次いで、１５〜２５℃、ｐＨ５〜６で２時間撹拌した後、３５％塩酸を添加することでｐＨ０〜１に調整した。得られた液を６５℃に加熱保持しながら２時間撹拌した後、２５℃まで冷却し、析出物を濾過分取することにより下記式（４４）で表される化合物を含むウェットケーキ１３０部を得た。
【０２７７】
【化４１】
0005776876.tif 000079
【０２７８】
【化４２】
0005776876.tif 000080
【０２７９】
（工程２）
水２５０部に上記工程１で得られたウェットケーキ６５部を、２５％水酸化ナトリウム水溶液の添加により溶液とした。なお、溶液のｐＨは７〜８とした。この溶液にレオコール  ＴＤ−９０（ライオン社製、界面活性剤）を０．１部添加した後、１５〜２５℃で塩化シアヌル３．８部を添加した。次に、炭酸ナトリウム水溶液の添加によりｐＨ５〜６に保持しながら１５〜２５℃で２時間撹拌した。次に、この反応液を６０〜６５℃に加熱し、炭酸ナトリウム水溶液の添加によりｐＨ６〜７に保持しながら５時間撹拌した。
【０２８０】
次に、ピペラジン０．８９部を添加し、９０〜９５℃に加熱し、炭酸ナトリウム水溶液の添加によりｐＨ８〜９に保持しながら１６時間撹拌した。得られた反応液を２５℃に冷却し、塩化ナトリウムを添加し、析出した固体を濾過分取してウェットケーキを得た。このウェットケーキに水４００部を加え、溶液とした。この溶液にメタノール５０部、２−プロパノール８００部を添加し、析出した固体を濾過分取し、乾燥することにより、下記式（４１）で表される化合物のナトリウム塩を得た。
【０２８１】
【化６】
0005776876.tif 000081
【０２８２】
３．２．インク組成物の調製
表３０に示す配合量で、各成分を混合攪拌し、孔径１．０μｍのメンブレンフィルターにて加圧濾過を行って、実施例１〜８および比較例１〜３の各インク組成物を得た。なお、表３０に記載されている単位は、質量％である。また、表３０中に示す各インク組成物のｐＨは、卓上型ｐＨメータ（株式会社堀場製作所製、型番「Ｆ−５０」）を使用して、インク組成物の温度を２０℃に保持して測定したものである。
【０２８３】
表３０中の各成分は、下記のとおりである。なお、下記Ｂｗ−１は、上記製造例１で得られたナトリウム塩を常法により処理し、リチウム塩としたものを用いた。
（１）染料（色材）
・Ｂｋ−１（下記式（１４）で表される化合物のリチウム塩、本明細書における「第１染料」に相当）
・Ｂｗ−１（上記式（４１）で表される化合物のリチウム塩、本明細書における「第２染料」に相当）
・Ｂｋ−２（下記一般式（５２）で表される化合物のリチウム塩、本明細書における「第３染料」に相当）
・Ｂｋ−３（下記式（６１）で表される化合物のリチウム塩）
・Ｙ−１（Ｃ．Ｉ．ダイレクトイエロー８６、ダイワ化成株式会社製）
（２）保湿剤
・グリセリン
・トリエチレングリコール
・２−ピロリドン
・尿素
（３）浸透促進剤
・トリエチレングリコールモノブチルエーテル
（４）界面活性剤
・アセチレングリコール系界面活性剤（商品名「オルフィン  Ｅ１０１０」、日信化学工業株式会社製）
（５）ｐＨ調整剤
・アジピン酸
・トリ−ｉｓｏ−プロパノールアミン
・トリエタノールアミン
（６）水
・純水
【０２８４】
【化７】
0005776876.tif 000082
【０２８５】
【化８】
0005776876.tif 000083
【０２８６】
【化４３】
0005776876.tif 000084
【０２８７】
３．３．保存安定性の評価
上記のようにして得られたインク組成物を、体積基準で２０００倍となるように純水で希釈した。得られた希釈液をサンプル瓶に入れ、完全に密閉した。このサンプル瓶を７０℃で６日間保存した後、２０℃に戻したときの吸収スペクトルを測定した。保存安定性は、保存前の２０℃における最大吸収波長における吸光度（Ａａ）と、保存後の２０℃における最大吸収波長における吸光度（Ａｂ）と、の比率（残存率＝Ａｂ／Ａａ）を求めることにより評価した。吸収スペクトルの測定は、ＪＩＳ  Ｋ０１１５に準じて行った。具体的には、インク組成物をイオン交換水で１０００倍希釈して、測定セルとして石英セル（光路長１０ｍｍ）、測定装置として分光光度計（製品名「Ｕ−３０００」、日立製作所製）を用いて測定した。
【０２８８】
保存安定性の評価基準は、以下の通りである。なお、残存率が高いほど保存安定性に優れていることを示し、評価基準のうち「Ａ」および「Ｂ」が実用上許容される基準である。評価結果を表３０に併せて示す。
「Ａ」：残存率が９５％以上である。
「Ｂ」：残存率が９０％以上９５％未満である。
「Ｃ」：残存率が９０％未満である。
【０２８９】
３．４．発色濃度の評価
（１）評価サンプルの作成
上記の様にして得られたインク組成物をインクジェットプリンター（商品名「ＰＭ−Ｇ８００」、セイコーエプソン株式会社製）の専用カートリッジのインク室にそれぞれ充填した。そして、インクカートリッジを上記プリンターに装着し、写真用紙クリスピア（商品名、型番「ＫＡ４５０ＳＣＫＲ」、セイコーエプソン株式会社製）に対してベタパターン画像の記録を行い、評価サンプルを得た。ベタパターン画像の記録は、解像度２８８０×１４４０ｄｐｉ、１００％ｄｕｔｙの条件で行った。
【０２９０】
（２）発色濃度の測定
分光測光器Ｓｐｅｃｔｒｏｌｉｎｏ（商品名、ＧｒｅｔａｇＭａｃｂｅｔｈ社製）を用いて、評価サンプルに記録された画像のＯＤ値（光学濃度）を測定した。
【０２９１】
発色濃度の評価基準は、以下の通りである。なお、ＯＤ値が高いほど発色濃度に優れていることを示し、下記の評価基準のうち「Ａ」および「Ｂ」が実用上許容される基準である。評価結果を表３０に併せて示す。
「Ａ」：ＯＤ値が２．３以上である。
「Ｂ」：ＯＤ値が２．２以上２．３未満である。
「Ｃ」：ＯＤ値が２．２未満である。
【０２９２】
３．５．色相の評価
上記「３．４．発色濃度の評価  （１）評価サンプルの作成」で得られた評価サンプルに記録された画像のａ＊、ｂ＊（ＣＩＥ（国際照明委員会）で規定されているＬ＊ａ＊ｂ＊表色系）を、分光測光器Ｓｐｅｃｔｒｏｌｉｎｏ（商品名、ＧｒｅｔａｇＭａｃｂｅｔｈ社製）を用いて、ＪＩＳ  Ｚ８７２９に準じて測定した。
【０２９３】
色相の評価基準は、以下の通りである。評価基準のうち「Ａ」であると、無彩色に近く、目視においても良好な黒色を呈する画像が記録できたものと判断できる。評価結果を表３０に併せて示す。
「Ａ」：ａ＊値が−３以上３以下の範囲内にあり、かつ、ｂ＊値が−３以上３以下の範囲内にある。
「Ｃ」：ａ＊値およびｂ＊値の少なくとも一方が、−３以上３以下の範囲内にない。
【０２９４】
３．６．耐光性の評価
（１）評価サンプルの作成
上記の様にして得られたインク組成物をインクジェットプリンター（商品名「ＰＭ−Ａ７００」、セイコーエプソン株式会社製）の専用カートリッジのインク室にそれぞれ充填した。そして、インクカートリッジを当該プリンターに装着し、写真用紙クリスピア（商品名、型番「ＫＡ４５０ＳＣＫＲ」、セイコーエプソン株式会社製）に対してベタパターン画像の記録を行い、評価サンプルを得た。ベタパターン画像の記録は、得られた画像のＯＤ（Ｏｐｔｉｃａｌ  Ｄｅｎｓｉｔｙ）が１．０となるようにＤｕｔｙを調整して行った。
【０２９５】
（２）耐光性の評価試験
上記のようにして得られた評価サンプルを室温下で暗所に１日静置した。その後、評価サンプルをＸｅｎｏｎ耐光性試験機ＸＬ−７５ｓ（商品名：（株）スガ試験機製）に設置して、２３℃相対湿度５０％ＲＨ、照度７５０００ｌｕｘの条件で、１４日間の曝露試験を行った。
【０２９６】
そして、分光測光器Ｓｐｅｃｔｒｏｌｉｎｏ（商品名、ＧｒｅｔａｇＭａｃｂｅｔｈ社製）を使用して、サンプルに記録された画像の光照射前後のＯＤ値を測定した。ＯＤ値の測定は、光源がＤ５０、光源フィルタなし、絶対白を白色標準として、視野角２°で行った。
【０２９７】
なお、耐光性の評価は、得られた測定値（ＯＤ値）から、光照射後の各記録物の画像の光学濃度残存率（Ｒｅｌｉｃｔ  Ｏｐｔｉｃａｌ  Ｄｅｎｓｉｔｙ：ＲＯＤ）求めることにより行った。ＲＯＤの算出方法は、「ＲＯＤ（％）＝（Ｄｎ／Ｄｏ）×１００（式中、Ｄｎは光照射試験終了後の画像のＯＤ値、Ｄｏは光照射試験開始前の画像のＯＤ値）」である。ＲＯＤの値が高いほど、光照射による画像の劣化が少ないことを示す。
【０２９８】
耐光性の評価基準は、以下の通りである。評価基準のうち「Ａ」および「Ｂ」であると、実用上使用できる程度の耐光性を有すると判断できる。評価結果を表３０に併せて示す。
「Ａ」：ＲＯＤが８０％以上
「Ｂ」：ＲＯＤが７０％以上８０％未満
「Ｃ」：ＲＯＤが７０％未満
【０２９９】
３．７．耐オゾン性の評価
上記「３．６．耐光性の評価  （１）評価サンプルの作成」で得られた評価サンプルの耐オゾン性の評価を行った。具体的には、評価サンプルをオゾンウェザーメーターＯＭＳ−Ｌ型（商品名、スガ試験機株式会社製）に設置して、温度２３℃、湿度５０％ＲＨ、およびオゾン濃度５ｐｐｍの条件下で、４０時間オゾンによる曝露試験を行った。
【０３００】
そして、分光測光器Ｓｐｅｃｔｒｏｌｉｎｏ（商品名、ＧｒｅｔａｇＭａｃｂｅｔｈ社製）を使用して、サンプルに記録された画像のオゾン曝露前後のＯＤ値を測定した。ＯＤ値の測定は、光源がＤ５０、光源フィルタなし、絶対白を白色標準として、視野角２°で行った。
【０３０１】
なお、耐オゾン性の評価は、「３．６．耐光性の評価  （２）耐光性の評価試験」と同様の算出方法によって求められるＲＯＤにより行った。ＲＯＤの値が高いほど、オゾン曝露による画像の劣化が少ないことを示す。
【０３０２】
耐オゾン性の評価基準は、以下の通りである。評価基準のうち「Ａ」および「Ｂ」であると、実用上使用できる程度の耐オゾン性を有すると判断できる。評価結果を表３０に併せて示す。
「Ａ」：ＲＯＤが８０％以上
「Ｂ」：ＲＯＤが７０％以上８０％未満
「Ｃ」：ＲＯＤが７０％未満
【０３０３】
３．８．評価結果
【０３０４】
【表３０】
0005776876.tif 000085
【０３０５】
表３０に示すように、実施例１ないし実施例７のインク組成物によれば、色相、発色濃度、耐光性、および耐オゾン性の良好な画像を記録することができた。さらに、ｐＨ調整を行うことにより、保存安定性に一層優れたインク組成物を得ることができた。
【０３０６】
一方、比較例１および比較例２のインク組成物は、第１染料に相当する化合物を含んでいない。そのため、色相に優れた画像が得られるものの、十分な発色濃度を有する画像は得られなかった。
【０３０７】
また、比較例３および比較例４のインク組成物は、第２染料に相当する化合物を含んでいない。そのため、発色濃度および耐オゾン性に優れた画像が得られるものの、青みがかった黒色の色相を備えた画像が得られ、無彩色に近い良好な黒色の画像を得ることができなかった。
【０３０８】
また、比較例５および比較例６のインク組成物は、第２染料に相当する化合物を含んでいない。そのため、耐オゾン性に優れる画像が得られるものの、十分な色相および発色濃度を有する画像を得ることができなかった。なお、比較例５および比較例６の評価サンプルではブロンズ現象がみられた。そのため、比較例６のように染料の含有量を調整しても十分な発色濃度を有する画像を得ることができなかった。
【０３０９】
また、比較例７のインク組成物は、第１染料および第２染料に相当する化合物を含んでいない。これにより、青みがかった黒色の色相を備えた画像が得られ、無彩色に近い良好な黒色の画像を得ることができなかった。また、記録された画像の耐光性および耐オゾン性に優れていなかった。
【０３１０】
本発明は、前述した実施形態に限定されるものではなく、種々の変形が可能である。例えば、本発明は、実施形態で説明した構成と実質的に同一の構成（例えば、機能、方法および結果が同一の構成、あるいは目的および効果が同一の構成）を含む。また、本発明は、実施形態で説明した構成の本質的でない部分を置き換えた構成を含む。また、本発明は、実施形態で説明した構成と同一の作用効果を奏する構成または同一の目的を達成することができる構成を含む。また、本発明は、実施形態で説明した構成に公知技術を付加した構成を含む。